(57)【要約】      （修正有）【課題】ワイヤレス通信システムにおいて、ユーザ機器（ＵＥ）が与えられ、ＵＥが測定ギャップ中に処理を扱うためのルールの１つまたは複数のセットが与えられる。【解決手段】処理は、記憶され、時間的に後で扱われ、ギャップ測定が実行される。ギャップ測定は無視され得る。ギャップ中に実行される測定はＵＥ実装形態依存であり、所与のギャップの間に測定を実行すべきかどうかをＵＥが判断する。ＵＥはギャップ中に測定を実行せず、それによってＲＡＣＨ処理などの他の処理に優先順位を与えることができる。必要とされる処理のタイプ（ＤＬ−ＳＣＨ、ＵＬ−ＳＣＨ、ＴＴＩバンドリング、ＲＡＣＨまたはＳＲ）に応じて、ＵＥは、要求を記憶し、ギャップ中に測定を処理することができ、またはギャップがなかったかのようにギャップ測定を無視することができる。【選択図】図１
2014195276.tif 000002
【特許請求の範囲】
【請求項１】
測定ギャップを処理するための方法であって、
ソースキャリア周波数からターゲットキャリア周波数に同調するために測定ギャップのためのダウンリンク上の無線リソース制御（ＲＲＣ）割当てを受信することと、
前記測定ギャップに適合するためにスケジューリング競合を判断することと、
前記スケジューリング競合についてあらかじめ定義されたプロトコルに従って媒体アクセス制御（ＭＡＣ）プロセスを実行することと
を備える方法。
【請求項２】
前記測定ギャップ中に発生するアップリンク肯定応答／否定応答（Ａｃｋ／Ｎａｋ）フィードバックを促す前記測定ギャップの前に発生するダウンリンク共有チャネル（ＤＬ−ＳＣＨ）から起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
によって、前記スケジューリング競合についてあらかじめ定義された前記プロトコルに従って前記ＭＡＣプロセスを実行することと、
をさらに備える、請求項１に記載の方法。
【請求項３】
前記測定ギャップ中に発生するダウンリンク共有チャネル（ＤＬ−ＳＣＨ）から起こるスケジューリング競合を判断することと、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行することと、
をさらに備える、請求項１に記載の方法。
【請求項４】
前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
によって、前記スケジューリング競合についてあらかじめ定義された前記プロトコルに従って前記ＭＡＣプロセスを実行することと、
をさらに備える、請求項１に記載の方法。
【請求項５】
半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断することと、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
によって、前記スケジューリング競合についてあらかじめ定義された前記プロトコルに従って前記ＭＡＣプロセスを実行することと、
をさらに備える、請求項１に記載の方法。
【請求項６】
前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断することと、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行することと、
をさらに備える、請求項１に記載の方法。
【請求項７】
前記測定ギャップ中に発生する物理ダウンリンク制御チャネル（ＰＤＣＣＨ）から起こるスケジューリング競合を判断することと、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行することと、
をさらに備える、請求項１に記載の方法。
【請求項８】
前記測定ギャップ中に発生する半永続的に割り振られたアップリンク共有制御チャネル（ＵＬ−ＳＣＨ）から起こるスケジューリング競合を判断することと、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をさらに備える、請求項１に記載の方法。
【請求項９】
前記測定ギャップと衝突する送信時間間隔（ＴＴＩ）バンドルの終了から起こるスケジューリング競合を判断することと、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、このバンドルを肯定応答された（ａｃｋ）と見なすことと、
によって、前記スケジューリング競合についてあらかじめ定義された前記プロトコルに従って前記ＭＡＣプロセスを実行することと、
をさらに備える、請求項１に記載の方法。
【請求項１０】
前記測定ギャップと衝突する送信時間間隔（ＴＴＩ）バンドルの開始から起こるスケジューリング競合を判断することと、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行することと、
をさらに備える、請求項１に記載の方法。
【請求項１１】
前記測定ギャップと衝突する送信時間間隔（ＴＴＩ）バンドルから起こるスケジューリング競合を判断することと、
前記ＴＴＩバンドルに関するすべての送信をキャンセルすることと、
前記ＴＴＩバンドルに関して否定応答された（Ｎａｋ）と見なすことと、
によって、前記スケジューリング競合についてあらかじめ定義された前記プロトコルに従って前記ＭＡＣプロセスを実行することと、
をさらに備える、請求項１に記載の方法。
【請求項１２】
前記測定ギャップとのランダムアクセスチャネル（ＲＡＣＨ）プロシージャの所望の使用から起こるスケジューリング競合を判断することと、
前記測定ギャップを利用することおよび前記ＲＡＣＨプロシージャを利用することのうちの１つを選択することによって、前記スケジューリング競合についてあらかじめ定義された前記プロトコルに従って前記ＭＡＣプロセスを実行することと、
をさらに備える、請求項１に記載の方法。
【請求項１３】
前記測定ギャップとのランダムアクセスチャネル（ＲＡＣＨ）プロシージャの進行中の使用から起こるスケジューリング競合を判断することと、
前記ＲＡＣＨプロシージャが完了するまで前記測定ギャップを使用しないこと（ＲＡＣＨへのコミットメント）によって、前記スケジューリング競合についてあらかじめ定義された前記プロトコルに従って前記ＭＡＣプロセスを実行することと、
をさらに備える、請求項１に記載の方法。
【請求項１４】
前記測定ギャップ中のサービス要求（ＳＲ）の所望の使用から起こるスケジューリング競合を判断することと、
前記測定ギャップを利用することおよびサービス要求を送信することのうちの１つを選択することによって、前記スケジューリング競合についてあらかじめ定義された前記プロトコルに従って前記ＭＡＣプロセスを実行することと、
をさらに備え、スケジューリング要求が使用される場合、ＭＡＣは、ＳＲが保留中の間は、測定ギャップを使用しないことができない、請求項１に記載の方法。
【請求項１５】
測定ギャップを処理するための少なくとも１つのプロセッサであって、
ソースキャリア周波数からターゲットキャリア周波数に同調するために測定ギャップのためのダウンリンク上の無線リソース制御（ＲＲＣ）割当てを受信するための第１のモジュールと、
前記測定ギャップに適合するためにスケジューリング競合を判断するための第２のモジュールと、
前記スケジューリング競合についてあらかじめ定義されたプロトコルに従って媒体アクセス制御（ＭＡＣ）プロセスを実行するための第３のモジュールと、
を備えるプロセッサ。
【請求項１６】
測定ギャップを処理するためのコンピュータプログラム製品であって、
ソースキャリア周波数からターゲットキャリア周波数に同調するために測定ギャップのためのダウンリンク上の無線リソース制御（ＲＲＣ）割当てを受信することをコンピュータに行わせるためのコードの第１のセットと、
前記測定ギャップに適合するためにスケジューリング競合を判断することを前記コンピュータに行わせるためのコードの第２のセットと、
前記スケジューリング競合についてあらかじめ定義されたプロトコルに従って媒体アクセス制御（ＭＡＣ）プロセスを実行することを前記コンピュータに行わせるためのコードの第３のセットと、
を備えるコンピュータ可読記憶媒体、
を備えるコンピュータプログラム製品。
【請求項１７】
測定ギャップを処理するための装置であって、
ソースキャリア周波数からターゲットキャリア周波数に同調するために測定ギャップのためのダウンリンク上の無線リソース制御（ＲＲＣ）割当てを受信するための手段と、
前記測定ギャップに適合するためにスケジューリング競合を判断するための手段と、
前記スケジューリング競合についてあらかじめ定義されたプロトコルに従って媒体アクセス制御（ＭＡＣ）プロセスを実行するための手段と、
を備える装置。
【請求項１８】
測定ギャップを処理するための装置であって、
ソースキャリア周波数からターゲットキャリア周波数に同調するために測定ギャップのためのダウンリンク上の無線リソース制御（ＲＲＣ）割当てを受信するための受信機と、
送信機と、
前記測定ギャップに適合するためにスケジューリング競合を判断するためのコンピューティングプラットフォームと、
を備え、
前記コンピューティングプラットフォームは、さらに、前記スケジューリング競合についてあらかじめ定義されたプロトコルに従って前記送信機および前記受信機を介して媒体アクセス制御（ＭＡＣ）プロセスを実行するためのものである、
装置。
【請求項１９】
前記コンピューティングプラットフォームは、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）から起こるスケジューリング競合を判断するためのものであり、
前記コンピューティングプラットフォームは、前記送信機および前記受信機を介して、さらに、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
請求項１８に記載の装置。
【請求項２０】
前記コンピューティングプラットフォームは、さらに、前記測定ギャップ中に発生するダウンリンク共有チャネル（ＤＬ−ＳＣＨ）から起こるスケジューリング競合を判断するためのものであり、
前記コンピューティングプラットフォームは、前記送信機および前記受信機を介して、さらに、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行するためのものである、
請求項１８に記載の装置。
【請求項２１】
前記コンピューティングプラットフォームは、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断するためのものであり、
前記コンピューティングプラットフォームは、前記送信機および前記受信機を介して、さらに、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
請求項１８に記載の装置。
【請求項２２】
前記コンピューティングプラットフォームは、さらに、半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断するためのものであり、
前記コンピューティングプラットフォームは、前記送信機および前記受信機を介して、さらに、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
請求項１８に記載の装置。
【請求項２３】
前記コンピューティングプラットフォームは、さらに、前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断するためのものであり、
前記コンピューティングプラットフォームは、前記送信機および前記受信機を介して、さらに、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行するためのものである、
請求項１８に記載の装置。
【請求項２４】
前記コンピューティングプラットフォームは、さらに、前記測定ギャップ中に発生する物理ダウンリンク制御チャネル（ＰＤＣＣＨ）から起こるスケジューリング競合を判断するためのものであり、
前記コンピューティングプラットフォームは、前記送信機および前記受信機を介して、さらに、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行するためのものである、
請求項１８に記載の装置。
【請求項２５】
前記コンピューティングプラットフォームは、さらに、前記測定ギャップ中に発生する半永続的に割り振られたアップリンク共有制御チャネル（ＵＬ−ＳＣＨ）から起こるスケジューリング競合を判断するためのものであり、
前記コンピューティングプラットフォームは、前記送信機および前記受信機を介して、さらに、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
請求項１８に記載の装置。
【請求項２６】
前記コンピューティングプラットフォームは、さらに、前記測定ギャップと衝突する送信時間間隔（ＴＴＩ）バンドルの終了から起こるスケジューリング競合を判断するためのものであり、
前記コンピューティングプラットフォームは、前記送信機および前記受信機を介して、さらに、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、中断することによってこのバンドルを肯定応答された（ａｃｋ）と見なすことと、
によって、前記スケジューリング競合についてあらかじめ定義された前記プロトコルに従って前記ＭＡＣプロセスを実行するためのものである、
請求項１８に記載の装置。
【請求項２７】
前記コンピューティングプラットフォームは、さらに、前記測定ギャップと衝突する送信時間間隔（ＴＴＩ）バンドルの開始から起こるスケジューリング競合を判断するためのものであり、
前記コンピューティングプラットフォームは、前記送信機および前記受信機を介して、さらに、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行するためのものである、
請求項１８に記載の装置。
【請求項２８】
前記コンピューティングプラットフォームは、さらに、前記測定ギャップと衝突する送信時間間隔（ＴＴＩ）バンドルから起こるスケジューリング競合を判断するためのものであり、
前記コンピューティングプラットフォームは、前記送信機および前記受信機を介して、さらに、
前記ＴＴＩバンドルに関するすべての送信をキャンセルすることと、
前記ＴＴＩバンドルに関して否定応答された（Ｎａｋ）と見なすことと
によって、前記スケジューリング競合についてあらかじめ定義された前記プロトコルに従って前記ＭＡＣプロセスを実行するためのものである、
請求項１８に記載の装置。
【請求項２９】
前記コンピューティングプラットフォームは、さらに、前記測定ギャップとのランダムアクセスチャネル（ＲＡＣＨ）プロシージャの所望の使用から起こるスケジューリング競合を判断するためのものであり、
前記コンピューティングプラットフォームは、前記送信機および前記受信機を介して、さらに、前記測定ギャップを利用することおよび前記ＲＡＣＨプロシージャを利用することのうちの１つを選択することによって、前記スケジューリング競合についてあらかじめ定義された前記プロトコルに従って前記ＭＡＣプロセスを実行するためのものである、
請求項１８に記載の装置。
【請求項３０】
前記コンピューティングプラットフォームは、さらに、前記測定ギャップとのランダムアクセスチャネル（ＲＡＣＨ）プロシージャの進行中の使用から起こるスケジューリング競合を判断するためのものであり、
前記コンピューティングプラットフォームは、前記送信機および前記受信機を介して、さらに、前記ＲＡＣＨプロシージャが完了するまで前記測定ギャップを使用しないことによって、前記スケジューリング競合についてあらかじめ定義された前記プロトコルに従って前記ＭＡＣプロセスを実行するためのものである、
請求項１８に記載の装置。
【請求項３１】
前記コンピューティングプラットフォームは、さらに、前記測定ギャップ中のサービス要求（ＳＲ）の所望の使用から起こるスケジューリング競合を判断するためのものであり、
前記コンピューティングプラットフォームは、前記送信機および前記受信機を介して、さらに、前記測定ギャップを利用することおよびサービス要求を送信することのうちの１つを選択することによって、前記スケジューリング競合についてあらかじめ定義された前記プロトコルに従って前記ＭＡＣプロセスを実行するためのものである、
請求項１８に記載の装置。
【請求項３２】
測定ギャップを割り当てるための方法であって、
ソースキャリア周波数からターゲットキャリア周波数に同調するために測定ギャップのためのダウンリンク上の無線リソース制御（ＲＲＣ）割当てを送信することと、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にすることと、
を備える方法。
【請求項３３】
前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）から起こるスケジューリング競合を判断することと、
前記測定ギャップの前に受信されたダウンリンク共有チャネル（ＤＬ−ＳＣＨ）を処理することと、
前記測定ギャップ中にアップリンク肯定応答／否定応答（ＡＣＫ／ＮＡＫ）を送信しないことと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項３４】
前記測定ギャップ中に発生するダウンリンク共有チャネル（ＤＬ−ＳＣＨ）から起こるスケジューリング競合を判断することと、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項３５】
前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項３６】
半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断することと、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項３７】
前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断することと、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項３８】
前記測定ギャップ中に発生する物理ダウンリンク制御チャネル（ＰＤＣＣＨ）から起こるスケジューリング競合を判断することと、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項３９】
前記測定ギャップ中に発生する半永続的に割り振られたアップリンク共有制御チャネル（ＵＬ−ＳＣＨ）から起こるスケジューリング競合を判断することと、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項４０】
前記測定ギャップと衝突する送信時間間隔（ＴＴＩ）バンドルの終了から起こるスケジューリング競合を判断することと、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、中断することによってこのバンドルを肯定応答された（ａｃｋ）と見なすことと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項４１】
前記測定ギャップと衝突する送信時間間隔（ＴＴＩ）バンドルの開始から起こるスケジューリング競合を判断することと、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項４２】
前記測定ギャップと衝突する送信時間間隔（ＴＴＩ）バンドルから起こるスケジューリング競合を判断することと、
前記ＴＴＩバンドルに関するすべての送信をキャンセルすることと、
前記ＴＴＩバンドルに関して否定応答された（Ｎａｋ）と見なすことと
によって、前記スケジューリング競合についてあらかじめ定義された前記プロトコルに従って前記ＭＡＣプロセスを実行することと、
をユーザ機器が行うことを可能にすること、
をさらに備える、請求項３２に記載の方法。
【請求項４３】
前記測定ギャップとのランダムアクセスチャネル（ＲＡＣＨ）プロシージャの所望の使用から起こるスケジューリング競合を判断することと、前記測定ギャップを利用することおよび前記ＲＡＣＨプロシージャを利用することのうちの１つを選択することによって前記スケジューリング競合についてあらかじめ定義された前記プロトコルに従って前記ＭＡＣプロセスを実行することと、をユーザ機器が行うことを可能にすること、
をさらに備える、請求項３２に記載の方法。
【請求項４４】
前記測定ギャップとのランダムアクセスチャネル（ＲＡＣＨ）プロシージャの進行中の使用から起こるスケジューリング競合を判断することと、前記ＲＡＣＨプロシージャが完了するまで前記測定ギャップを使用しないことによって前記スケジューリング競合についてあらかじめ定義された前記プロトコルに従って前記ＭＡＣプロセスを実行することと、をユーザ機器が行うことを可能にすること、
をさらに備える、請求項３２に記載の方法。
【請求項４５】
前記測定ギャップ中のサービス要求（ＳＲ）の所望の使用から起こるスケジューリング競合を判断することと、前記測定ギャップを利用することおよびサービス要求を送信することのうちの１つを選択することによって前記スケジューリング競合についてあらかじめ定義された前記プロトコルに従って前記ＭＡＣプロセスを実行することと、をユーザ機器が行うことを可能にすること、
をさらに備える、請求項３２に記載の方法。
【請求項４６】
測定ギャップを割り当てるための少なくとも１つのプロセッサであって、
ソースキャリア周波数からターゲットキャリア周波数に同調するために測定ギャップのためのダウンリンク上の無線リソース制御（ＲＲＣ）割当てを送信するための第１のモジュールと、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にするための第２のモジュールと、
を備えるプロセッサ。
【請求項４７】
測定ギャップを割り当てるためのコンピュータプログラム製品であって、
ソースキャリア周波数からターゲットキャリア周波数に同調するために測定ギャップのためのダウンリンク上の無線リソース制御（ＲＲＣ）割当てを送信することをコンピュータに行わせるためのコードの第１のセットと、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にすることを前記コンピュータに行わせるためのコードの第２のセットと、
を備えるコンピュータ可読記憶媒体、
を備えるコンピュータプログラム製品。
【請求項４８】
測定ギャップを割り当てるための装置であって、
ソースキャリア周波数からターゲットキャリア周波数に同調するために測定ギャップのためのダウンリンク上の無線リソース制御（ＲＲＣ）割当てを送信するための手段と、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にするための手段と、
を備える装置。
【請求項４９】
測定ギャップを割り当てるための装置であって、
ソースキャリア周波数からターゲットキャリア周波数に同調するために測定ギャップのためのダウンリンク上の無線リソース制御（ＲＲＣ）割当てを送信するための送信機と、
受信機と、
前記送信機および前記受信機を介して、前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にするコンピューティングプラットフォームと、
を備える装置。
【請求項５０】
前記コンピューティングプラットフォームは、前記送信機および前記受信機を介して、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）から起こるスケジューリング競合を判断することと、
前記測定ギャップの前に受信されたダウンリンク共有チャネル（ＤＬ−ＳＣＨ）を処理することと、
前記測定ギャップ中にアップリンク肯定応答／否定応答（ＡＣＫ／ＮＡＫ）を送信しないことと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５１】
前記コンピューティングプラットフォームは、前記送信機および前記受信機を介して、さらに、前記測定ギャップ中に発生するダウンリンク共有チャネル（ＤＬ−ＳＣＨ）から起こるスケジューリング競合を判断することと、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５２】
前記コンピューティングプラットフォームは、前記送信機および前記受信機を介して、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５３】
前記コンピューティングプラットフォームは、前記送信機および前記受信機を介して、さらに、半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断することと、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５４】
前記コンピューティングプラットフォームは、前記送信機および前記受信機を介して、さらに、前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断することと、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５５】
前記コンピューティングプラットフォームは、前記送信機および前記受信機を介して、さらに、前記測定ギャップ中に発生する物理ダウンリンク制御チャネル（ＰＤＣＣＨ）から起こるスケジューリング競合を判断することと、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５６】
前記コンピューティングプラットフォームは、前記送信機および前記受信機を介して、さらに、前記測定ギャップ中に発生する半永続的に割り振られたアップリンク共有制御チャネル（ＵＬ−ＳＣＨ）から起こるスケジューリング競合を判断することと、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５７】
前記コンピューティングプラットフォームは、前記送信機および前記受信機を介して、さらに、前記測定ギャップと衝突する送信時間間隔（ＴＴＩ）バンドルの終了から起こるスケジューリング競合を判断することと、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、中断することによってこのバンドルを肯定応答された（ａｃｋ）と見なすことと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５８】
前記コンピューティングプラットフォームは、前記送信機および前記受信機を介して、さらに、前記測定ギャップと衝突する送信時間間隔（ＴＴＩ）バンドルの開始から起こるスケジューリング競合を判断することと、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項５９】
前記コンピューティングプラットフォームは、前記送信機および前記受信機を介して、さらに、前記測定ギャップと衝突する送信時間間隔（ＴＴＩ）バンドルから起こるスケジューリング競合を判断することと、
前記ＴＴＩバンドルに関するすべての送信をキャンセルすることと、
前記ＴＴＩバンドルに関して否定応答された（Ｎａｋ）と見なすことと、
によって、前記スケジューリング競合についてあらかじめ定義された前記プロトコルに従って前記ＭＡＣプロセスを実行することと、をユーザ機器が行うことを可能にするためのものである、
請求項４９に記載の装置。
【請求項６０】
前記コンピューティングプラットフォームは、前記送信機および前記受信機を介して、さらに、前記測定ギャップとのランダムアクセスチャネル（ＲＡＣＨ）プロシージャの所望の使用から起こるスケジューリング競合を判断することと、前記測定ギャップを利用することおよび前記ＲＡＣＨプロシージャを利用することのうちの１つを選択することによって前記スケジューリング競合についてあらかじめ定義された前記プロトコルに従って前記ＭＡＣプロセスを実行することと、をユーザ機器が行うことを可能にするためのものである、
請求項４９に記載の装置。
【請求項６１】
前記コンピューティングプラットフォームは、前記送信機および前記受信機を介して、さらに、前記測定ギャップとのランダムアクセスチャネル（ＲＡＣＨ）プロシージャの進行中の使用から起こるスケジューリング競合を判断することと、前記ＲＡＣＨプロシージャが完了するまで前記測定ギャップを使用しないことによって前記スケジューリング競合についてあらかじめ定義された前記プロトコルに従って前記ＭＡＣプロセスを実行することと、をユーザ機器が行うことを可能にするためのものである、
請求項４９に記載の装置。
【請求項６２】
前記コンピューティングプラットフォームは、前記送信機および前記受信機を介して、さらに、前記測定ギャップ中のサービス要求（ＳＲ）の所望の使用から起こるスケジューリング競合を判断することと、前記測定ギャップを利用することおよびサービス要求を送信することのうちの１つを選択することによって前記スケジューリング競合についてあらかじめ定義された前記プロトコルに従って前記ＭＡＣプロセスを実行することと、をユーザ機器が行うことを可能にするためのものである、
請求項４９に記載の装置。
【発明の詳細な説明】
【技術分野】
【０００１】
米国特許法第１１９条に基づく優先権の主張
本特許出願は、本出願の譲受人に譲渡され、その全体が参照により本明細書に明確に組み込まれる、２００８年８月１１日に出願された「A Method and Apparatus for Processing Measurement Gaps in a Wireless Communication System」と題する仮出願第６１／０８７，９３０号の優先権を主張する。
【０００２】
本明細書で説明される例示的で非限定的な態様は、一般にワイヤレス通信システム、方法、コンピュータプログラム製品およびデバイスに関し、より詳細には、測定ギャップを処理するための技法に関する。
【背景技術】
【０００３】
ワイヤレス通信システムは、ボイス、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
概して、ワイヤレス多元接続通信システムは、複数のワイヤレス端末のための通信を同時にサポートすることができる。各端末は、順方向リンクおよび逆方向リンク上の送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力、または多入力多出力（ＭＩＭＯ）システムを介して確立され得る。
【０００５】
Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は第３世代（３Ｇ）セルフォン技術の１つである。ＵＭＴＳ  Ｔｅｒｒｅｓｔｒｉａｌ  Ｒａｄｉｏ  Ａｃｃｅｓｓ  Ｎｅｔｗｏｒｋ、略してＵＴＲＡＮは、ＵＭＴＳコアネットワークを構成するＮｏｄｅ−Ｂと無線ネットワークコントローラ（Ｒａｄｉｏ  Ｎｅｔｗｏｒｋ  Ｃｏｎｔｒｏｌｌｅｒ）との総称である。この通信ネットワークは、リアルタイム回線交換（Ｃｉｒｃｕｉｔ  Ｓｗｉｔｃｈｅｄ）からＩＰベースパケット交換（ＩＰ  ｂａｓｅｄ  Ｐａｃｋｅｔ  Ｓｗｉｔｃｈｅｄ）まで多くのトラフィックタイプを搬送することができる。ＵＴＲＡＮは、ＵＥ（ユーザ機器）とコアネットワークとの間の接続を可能にする。ＵＴＲＡＮは、Ｎｏｄｅ  Ｂと呼ばれる基地局と無線ネットワークコントローラ（Ｒａｄｉｏ  Ｎｅｔｗｏｒｋ  Ｃｏｎｔｒｏｌｌｅｒ：ＲＮＣ）とを含む。ＲＮＣは、１つまたは複数のＮｏｄｅ  Ｂに制御機能を与える。典型的な実装形態は、複数のＮｏｄｅ  Ｂにサービスしている中央局に配置された別個のＲＮＣを有するが、Ｎｏｄｅ  ＢとＲＮＣは同じデバイスであり得る。それらが物理的に分離される必要はないということにもかかわらず、それらの間には、Ｉｕｂとして知られる論理インターフェースがある。ＲＮＣおよびその対応するＮｏｄｅ  Ｂは、無線ネットワークサブシステム（Ｒａｄｉｏ  Ｎｅｔｗｏｒｋ  Ｓｕｂｓｙｓｔｅｍ：ＲＮＳ）と呼ばれる。ＵＴＲＡＮには２つ以上のＲＮＳが存在する場合がある。
【０００６】
３ＧＰＰ  ＬＴＥ（Ｌｏｎｇ  Ｔｅｒｍ  Ｅｖｏｌｕｔｉｏｎ）は、将来の要件に対処するためにＵＭＴＳモバイルフォン規格を向上させるための第３世代パートナーシッププロジェクト（Ｔｈｉｒｄ  Ｇｅｎｅｒａｔｉｏｎ  Ｐａｒｔｎｅｒｓｈｉｐ  Ｐｒｏｊｅｃｔ：３ＧＰＰ）内のプロジェクトに付けられた名前である。目的は、効率性向上、コスト削減、サービス改善、新規のスペクトル機会（spectrum opportunity）の利用、および他のオープンスタンダードとの統合の改良を含む。ＬＴＥシステムは、Ｅｖｏｌｖｅｄ  ＵＴＲＡ（ＥＵＴＲＡ）およびＥｖｏｌｖｅｄ  ＵＴＲＡＮ（ＥＵＴＲＡＮ）仕様シリーズに記載されている。
【０００７】
ユーザ機器（ＵＥ）が周波数間および／または無線アクセス技術（Ｒａｄｉｏ  Ａｃｃｅｓｓ  Ｔｅｃｈｎｏｌｏｇｙ：ＲＡＴ）間セルに対して測定を実行するためにソースキャリア周波数からターゲットキャリア周波数に同調することができるように、ソース基地局など、ネットワークによってユーザ機器に測定ギャップが割り当てられる。これは、デュアルモード受信機を欠き、したがって、２つの基地局を監視することができないＵＥにとって特に有用であり得る。それにより、必要とされるか有利なときに、ハンドオーバをより迅速に実行することが可能になることにより、ＵＥのモビリティが円滑にされる。従来、測定ギャップ中、ＵＥは、どんなデータをも送信せず、サービングキャリア周波数上でＵＥの受信機を同調させることが予想されていない（たとえば、Ｅ−ＵＴＲＡＮ）。
【発明の概要】
【０００８】
以下は、開示される態様のうちのいくつかの態様の基本的理解を与えるために簡略化された概要を提示する。この概要は、包括的な概観ではなく、主要なまたは重要な要素を識別することが意図されるわけでも、そのような態様の範囲を定めることが意図されるわけでもない。その目的は、後で提示されるより詳細な説明の導入として、説明される特徴のいくつかの概念を簡略化された形態で提示することである。
【０００９】
１つまたは複数の態様およびその対応する開示に従って、ユーザ機器が周波数間および／またはＲＡＴ間セルを識別し測定するために割り当てられ処理される測定ギャップに関して、様々な態様が説明される。
【００１０】
一態様では、ソースキャリア周波数からターゲットキャリア周波数に同調するために測定ギャップのためのダウンリンク上の無線リソース制御（ＲＲＣ）割当てを受信することと、測定ギャップに適合するためにスケジューリング競合を判断することと、スケジューリング競合についてあらかじめ定義されたプロトコルに従って媒体アクセス制御（ＭＡＣ）プロセスを実行することとによって、測定ギャップを処理するための方法が提供される。
【００１１】
別の態様では、測定ギャップを処理するための少なくとも１つのプロセッサが提供される。第１のモジュールは、ソースキャリア周波数からターゲットキャリア周波数に同調するために測定ギャップのためのダウンリンク上の無線リソース制御（ＲＲＣ）割当てを受信する。第２のモジュールは、測定ギャップに適合するためにスケジューリング競合を判断する。第３のモジュールは、スケジューリング競合についてあらかじめ定義されたプロトコルに従って媒体アクセス制御（ＭＡＣ）プロセスを実行する。
【００１２】
追加の態様では、測定ギャップを処理するためのコンピュータプログラム製品が提供される。コンピュータ可読記憶媒体は、ソースキャリア周波数からターゲットキャリア周波数に同調するために測定ギャップのためのダウンリンク上の無線リソース制御（ＲＲＣ）割当てを受信することをコンピュータに行わせるためのコードの第１のセットを備える。コードの第２のセットは、測定ギャップに適合するためにスケジューリング競合を判断することをコンピュータに行わせる。コードの第３のセットは、スケジューリング競合についてあらかじめ定義されたプロトコルに従って媒体アクセス制御（ＭＡＣ）プロセスを実行することをコンピュータに行わせる。
【００１３】
別の追加の態様では、測定ギャップを処理するための装置が提供される。ソースキャリア周波数からターゲットキャリア周波数に同調するために測定ギャップのためのダウンリンク上の無線リソース制御（ＲＲＣ）割当てを受信するための手段が提供される。測定ギャップに適合するためにスケジューリング競合を判断するための手段が提供される。スケジューリング競合についてあらかじめ定義されたプロトコルに従って媒体アクセス制御（ＭＡＣ）プロセスを実行するための手段が提供される。
【００１４】
さらなる態様では、測定ギャップを処理するための装置が提供される。受信機は、ソースキャリア周波数からターゲットキャリア周波数に同調するために測定ギャップのためのダウンリンク上の無線リソース制御（ＲＲＣ）割当てを受信する。コンピューティングプラットフォームは、測定ギャップに適合するためにスケジューリング競合を判断する。コンピューティングプラットフォームは、スケジューリング競合についてあらかじめ定義されたプロトコルに従って送信機および受信機を介して媒体アクセス制御（ＭＡＣ）プロセスを実行する。
【００１５】
さらなる一態様では、ソースキャリア周波数からターゲットキャリア周波数に同調するために測定ギャップのためのダウンリンク上の無線リソース制御（ＲＲＣ）割当てを送信することと、測定ギャップに適合するためにスケジューリング競合を判断し、スケジューリング競合についてあらかじめ定義されたプロトコルに従って媒体アクセス制御（ＭＡＣ）プロセスを実行することをユーザ機器が行うことを可能にすることと、によって、測定ギャップを割り当てるための方法が提供される。
【００１６】
さらに別の態様では、測定ギャップを割り当てるための少なくとも１つのプロセッサが提供される。第１のモジュールは、ソースキャリア周波数からターゲットキャリア周波数に同調するために測定ギャップのためのダウンリンク上の無線リソース制御（ＲＲＣ）割当てを送信する。第２のモジュールは、測定ギャップに適合するためにスケジューリング競合を判断することと、スケジューリング競合についてあらかじめ定義されたプロトコルに従って媒体アクセス制御（ＭＡＣ）プロセスを実行することと、をユーザ機器が行うことを可能にする。
【００１７】
さらなる追加の態様では、測定ギャップを割り当てるためのコンピュータプログラム製品が提供される。コンピュータ可読記憶媒体は、ソースキャリア周波数からターゲットキャリア周波数に同調するために測定ギャップのためのダウンリンク上の無線リソース制御（ＲＲＣ）割当てを送信することをコンピュータに行わせるためのコードの第１のセットを備える。コードの第２のセットは、測定ギャップに適合するためにスケジューリング競合を判断することと、スケジューリング競合についてあらかじめ定義されたプロトコルに従って媒体アクセス制御（ＭＡＣ）プロセスを実行することと、をユーザ機器が行うことを可能にすることをコンピュータに行わせる。
【００１８】
さらに別の追加の態様では、測定ギャップを割り当てるための装置が提供される。ソースキャリア周波数からターゲットキャリア周波数に同調するために測定ギャップのためのダウンリンク上の無線リソース制御（ＲＲＣ）割当てを送信するための手段が提供される。測定ギャップに適合するためにスケジューリング競合を判断することと、スケジューリング競合についてあらかじめ定義されたプロトコルに従って媒体アクセス制御（ＭＡＣ）プロセスを実行することと、をユーザ機器が行うことを可能にするための手段が提供される。
【００１９】
またさらなる態様では、測定ギャップを割り当てるための装置が提供される。送信機は、ソースキャリア周波数からターゲットキャリア周波数に同調するために測定ギャップのためのダウンリンク上の無線リソース制御（ＲＲＣ）割当てを送信する。コンピューティングプラットフォームは、送信機および受信機を介して、測定ギャップに適合するためにスケジューリング競合を判断することと、スケジューリング競合についてあらかじめ定義されたプロトコルに従って媒体アクセス制御（ＭＡＣ）プロセスを実行することと、をユーザ機器が行うことを可能にする。
【００２０】
上記および関連する目的を達成するために、１つまたは複数の態様は、以下で十分に説明され、特に特許請求の範囲で指摘される特徴を備える。以下の説明および添付の図面は、いくつかの例示的な態様を詳細に記載し、本態様の原理が使用され得る様々な方法のほんのいくつかを示すものである。他の利点および新規の特徴は、以下の詳細な説明を図面とともに検討すれば明らかになり、開示される態様は、すべてのそのような態様およびそれらの均等物を含むことが意図される。
【００２１】
本開示の特徴、性質、および利点は、全体を通じて同様の参照符号が同様のものを指す図面とともに、以下に記載される詳細な説明を読めばより明らかになろう。
【図面の簡単な説明】
【００２２】
【図１】図１は、基地局が、ソースキャリア周波数からターゲットキャリア周波数に切り替わるためにユーザ機器によって処理される測定ギャップを割り当てる、通信システムのブロック図を示す。
【図２Ａ】図２Ａは、割り当てられた測定ギャップにより起こるスケジューリング競合に対処するための方法または動作シーケンスの流れ図を示す。
【図２Ｂ】図２Ｂは、割り当てられた測定ギャップにより起こるスケジューリング競合に対処するための方法または動作シーケンスの流れ図を示す。
【図２Ｃ】図２Ｃは、割り当てられた測定ギャップにより起こるスケジューリング競合に対処するための方法または動作シーケンスの流れ図を示す。
【図３】図３は、一態様による、測定ギャップを処理するための多元接続ワイヤレス通信システムの図を示す。
【図４】図４は、測定ギャップを処理するための通信システムの概略ブロック図を示す。
【図５】図５は、それぞれ測定ギャップを割り当て、処理するための基地局およびユーザ機器のブロック図を示す。
【図６Ａ】図６Ａは、測定ギャップを処理するための方法または動作シーケンスの流れ図を示す。
【図６Ｂ】図６Ｂは、測定ギャップを処理するための方法または動作シーケンスの流れ図を示す。
【図６Ｃ】図６Ｃは、測定ギャップを処理するための方法または動作シーケンスの流れ図を示す。
【図６Ｄ】図６Ｄは、測定ギャップを処理するための方法または動作シーケンスの流れ図を示す。
【図６Ｅ】図６Ｅは、測定ギャップを処理するための方法または動作シーケンスの流れ図を示す。
【図６Ｆ】図６Ｆは、測定ギャップを処理するための方法または動作シーケンスの流れ図を示す。
【図６Ｇ】図６Ｇは、測定ギャップを処理するための方法または動作シーケンスの流れ図を示す。
【図７】図７は、測定ギャップを処理するための電気コンポーネントの論理グルーピングを備えるシステムのブロック図を示す。
【図８】図８は、測定ギャップを割り当てるための電気コンポーネントの論理グルーピングを備えるシステムのブロック図を示す。
【図９】図９は、測定ギャップを処理するための手段を備えるシステムのブロック図を示す。
【図１０】図１０は、測定ギャップを割り当てるための手段を備えるシステムのブロック図を示す。
【発明を実施するための形態】
【００２３】
ワイヤレス通信システムには、あらかじめ決定された測定ギャップ（ＵＥが送信においてあらかじめ決定された測定を実行する時間的部分）があり、ＵＥは、あらかじめ定義された測定ギャップを実行する。そのワイヤレスシステムに応じて、ギャップの周波数が変化する。しかしながら、ＲＡＣＨ処理、ＨＡＲＱ方式を使用した処理またはバンドルＴＴＩ（たとえば、所与の時間における４つのＴＴＩ）中の送信など、動的であるいくつかの他の機能が、既知のギャップと衝突することがある。
【００２４】
いくつかの態様によれば、ＵＥが測定ギャップ中にその処理を扱うためのルールの１つまたは複数のセットが与えられる。いくつかの態様では、ギャップ測定は、無視され得る。いくつかの態様では、その処理は、記憶され、時間的に後で扱われ、ギャップ測定が実行される。そのシステムに応じて、ギャップ中に実行される測定は、ＵＥ実装形態依存であり得、ここで、所与のギャップの間に測定を実行すべきかどうかをＵＥが判断する。いくつかの例では、ＵＥは、ギャップ中に測定を実行せず、それによってＲＡＣＨ処理などの他の処理に優先順位を与えることがある。
【００２５】
必要とされる処理のタイプ（ＤＬ−ＳＣＨ、ＵＬ−ＳＣＨ、ＴＴＩバンドリング、ＲＡＣＨまたはＳＲ。添付文書を参照）に応じて、ＵＥは、要求を記憶し、ギャップ中に測定を処理することができ、またはギャップがなかったかのようにギャップ測定を無視することができる。
【００２６】
例示的な一態様では、ＵＥが周波数間および／またはＲＡＴ（無線アクセス技術（Ｒａｄｉｏ  Ａｃｃｅｓｓ  Ｔｅｃｈｎｏｌｏｇｙ））間セルを識別し、測定するために、無線リソース制御（ＲＲＣ）接続状態（「ＲＲＣ＿ＣＯＮＮＥＣＴＥＤ」）に関する測定ギャップが存在する。従来、測定（監視）ギャップ中、ＵＥは、どんなデータをも送信することを禁止され、ソース（たとえば、Ｅ−ＵＴＲＡＮサービング）キャリア周波数上でＵＥの受信機を同調させることが予想されていない。測定ギャップは、何らかの測定イベントに応答して、ＵＥによって要求されるか、またはｅＮＢによって割り当てられ得る。本明細書で説明される態様は、ＵＥが測定を実行するためにそれらのギャップの大部分を必要とするように、それらのギャップが構成されると仮定する。
【００２７】
したがって、ＵＥが測定ギャップ中に測定を実行する必要がないとき、パフォーマンスを改善するためのルールを有する必要はない。本当に必要とされるときにのみ測定ギャップが構成されるようにするために、以下のオプションのうちの１つが開示される。たとえば、ｅＮＢ開始型の場合、ＵＥは（機能）「決して私にギャップを与えるな、私はギャップを必要としない」を示すことができなければならない。接続モードでは、測定ギャップは、ＵＭＴＳと同様にｅＮＢ開始型であり得る。パラメータが、各サポートされたＥ−ＵＴＲＡ帯域について、各他のサポートされたＥ−ＵＴＲＡ無線周波数帯域上でおよび各サポートされたＲＡＴ／帯域組合せ上で測定を実行するために測定ギャップが必要とされるかどうかを定義することができる。代替的にまたは追加として、測定ギャップがＵＥ開始型である場合、ＵＥは、必要とされるときにのみギャップを要求することができる。
【００２８】
動的に割り振られる（１つまたは複数の）ダウンリンク共有チャネル（ＤＬ−ＳＣＨ）に関して、測定の直前に起こるＤＬ−ＳＣＨは、ＡＣＫ／ＮＡＫフィードバックをその測定と衝突させる。一態様では、この例について例示的なルールが説明される。ＵＥは、測定の前に受信されたＤＬ−ＳＣＨを処理する（ＨＡＲＱデータをバッファに入れる）ことができる。ＵＥは、測定中（すなわち、ギャップ構成の処理とともにＲＲＣが行われた後）にＡＣＫ／ＮＡＫを送信しない。ＭＡＣは、ギャップに関して知らされている。ＵＥは、ＡＣＫ／ＮＡＫを送信しない。ＵＥは、そのプロセスのための後続の非適応型再送信を扱う準備ができている（ＨＡＲＱ状態）ことがある。ｅＮＢが測定ギャップ中にＰＤＣＣＨを使用することはエラーケースであるので、測定中、ＵＥは、ＤＬ−ＳＣＨを処理することも、ＵＬ  ＡＣＫ／ＮＡＫを送信することもしない。
【００２９】
半永続的割振りに関して、一態様では、ＤＬ半永続的割当ては、最初の送信のみに適用する。定義上は、ＵＥは、測定ギャップ中に発生するＤＬ半永続的割当てを処理する必要がない。ｅＮＢは、そのＤＬ−ＳＣＨおよびＵＬ  ＡＣＫ／ＮＡＫリソースを別のＵＥに再割り振りすることを希望することがある。動的ＤＬ−ＳＣＨと同じ挙動が説明され得る。明示的にするために、測定ギャップの直前に起こるＳＰＳ（半永続的スケジューリング）ＤＬ−ＳＣＨは、ＡＣＫ／ＮＡＫフィードバックをその測定と衝突させる。ＵＥは、測定の前に受信されたＳＰＳ  ＤＬ−ＳＣＨを処理する。ＵＥは、測定中にＡＣＫ／ＮＡＫを送信しない。ＵＥは、そのプロセスのための非適応型再送信を扱う準備ができていなければならない。ＳＰＳ  ＤＬ−ＳＣＨが測定中に発生する場合、ＵＥは、ＳＰＳ  ＤＬ−ＳＣＨを所有することも、ＵＬ  ＡＣＫ／ＮＡＫを送信することもしない。しかしながら、ＨＡＲＱは、ＤＬ−ＳＣＨ許可が受信されたかのように挙動し、ＤＬ−ＳＣＨ再送信を予想する。ギャップ中でも、受信されていないＳＰＳ許可がＮＤＩビットを反転する。その場合、ＳＰＳ仮想許可がギャップ中に発生する。それによって、上記のＳＰＳ機会は、測定ギャップのためにシフトする必要がなくなる。
【００３０】
（１つまたは複数の）アップリンク同期チャネル（ＵＬ−ＳＣＨ）の動的割振りに関して、一態様では、アップリンク許可のためのＰＤＣＣＨが、ＵＬ−ＳＣＨ送信の３ｍｓ前に発生する。したがって、ギャップ中に有効である許可を示すアップリンク許可をギャップの前に受信することが可能である。
【００３１】
ギャップの３ｍｓ以下前に受信されたＵＬ−ＳＣＨ許可を有することによって、それで、パケットを構築し、次回のギャップにより、またはギャップがないことにより、異なる挙動を有しないことが、より容易になる。Ｌ１が離調されるので、パケット構築が発生し、その後に送信をスキップすることが続き得る。ＵＬ−ＳＣＨを送信されたおよびＮＡＫされた（すなわち、非適応型再送信と同様）と見なすことができる。ＵＥが測定ギャップのためにＵＬ−ＳＣＨの最初の送信を逃した場合は許可をキャンセルし、ＵＬ−ＳＣＨをＮＡＫされた（すなわち、非適応型再送信と見なすというルールを使用することができる。
【００３２】
ギャップ中のＵＬ−ＳＣＨ許可に関する一態様では、ＵＥは、測定ギャップ中にＵＬ許可を受信しない。ＵＥは、測定ギャップ中にＰＵＳＣＨ上で送信しない。測定ギャップと衝突する非適応型再送信は、キャンセルされ、ＮＡＫと見なされる。ＵＥは、次の機会に再送信を再開する。測定ギャップのためにＤＬ  ＡＣＫ／ＮＡＫが受信され得ないとき、ＵＥは、ＡＣＫが受信されたかのように挙動する。再送信を再開するためにＰＤＣＣＨが使用され得る。
【００３３】
半永続的割振りに関して、ＵＬ半永続的スケジューリング（ＳＰＳ）は、ＵＬの最初の送信ならびにＵＬ同期再送信に適用する。ｅＮＢは、測定ギャップ中に、半永続的に割り振られたＵＬ−ＳＣＨリソースを別のＵＥに再割り振りすることを希望し、ギャップにおけるＵＥがそのリソースを決して使用しないことを知っていることがあり得る。例示的な一態様では、ＵＥは、測定ギャップ中に発生する半永続的ＵＬ−ＳＣＨの新しい送信を進めず、ＭＡＣ  ＰＤＵが構築され、送信がスキップされ、ＵＬ−ＳＣＨはＮＡＫされたものと見なされ、ＵＬ非適応型送信をトリガする。
【００３４】
ＵＬ−ＳＣＨを要約すると、ＵＥは、測定ギャップ中に決してＰＤＣＣＨを受信しないことがあり、測定ギャップ中に発生するすべての送信は、保留にされ、ＮＡＫされたと見なされる（たとえば、ギャップの直前のＳＰＳ。ギャップ中のＳＰＳ、ギャップの直前の最初の送信または再送信のための動的許可、ギャップ中の非適応型再送信）。
【００３５】
アップリンク（ＵＬ）上のＴＴＩバンドリングに関して、３つのケースについて考える。最初に、ＴＴＩバンドルの終了が測定ギャップと衝突し、したがって、ＡＣＫ／ＮＡＫフィードバックもそのようになった場合、ＴＴＩバンドルの開始は送信され、ＴＴＩバンドルの衝突している終了は保留にされる。ＵＥは、ＡＣＫが受信されたかのように挙動する（中断する）。（代替的に、ＵＥは、それをＮＡＫと見なすことがある。）再開するためにＰＤＣＣＨが使用され得る。ＴＴＩバンドルの開始が測定ギャップと衝突した場合、ＵＥは実際のＡＣＫ／ＮＡＫフィードバックを見ることができるので、ＵＥは、ＴＴＩバンドルの終了を送信し、実際のＡＣＫ／ＮＡＫフィードバックを探す。全バンドルが測定ギャップと衝突した場合、ＵＥは、全ＴＴＩバンドルを保留し、全ＴＴＩバンドルをＮＡＫされたと見なす。上記のＵＬ−ＳＣＨルールに従って、ギャップと衝突するすべての送信はキャンセルされ、ギャップと重複しないバンドルの部分（たとえば、開始、終了）は何でも送信される。
【００３６】
例示的な一態様では、バンドルの最後のＴＴＩに関係してＤＬ  ＡＣＫ／ＮＡＫフィードバックが送信される。たとえば、ＴＴＩバンドルが４つのサブフレームを有する場合、第４のサブフレームが送信されるか否かにかかわらず、ＡＣＫ／ＮＡＫのタイミングは第４のサブフレームに関係する。
【００３７】
測定ギャップ中にランダムアクセスチャネル（ＲＡＣＨ）プロシージャを使用する必要がある媒体アクセス制御（ＭＡＣ）に関して、一般に、ＵＥは、共有ＰＲＡＣＨ（物理ランダムアクセスチャネル）リソースをいつでも自律的に使用することができる。例示的なシナリオでは、ＵＥは、送信すべき測定報告を有する。特に、より多くの測定値が必要とされないことがあり、測定報告を遅延なしに送信することが好ましい。たとえば、報告の結果としてハンドオーバがトリガされ得る。代替的に、いくつかの実装形態では、測定ギャップ中にＰＲＡＣＨの使用を許可しないことがより単純であることがあるが、これは、一定の状況下では問題を生じることがある。したがって、例示的な一実装形態では、測定ギャップ中のＰＲＡＣＨの使用に関してＵＥの自律性を許可することが好ましいことがある。同じセルを再選択してＲＲＣ接続状態が再確立された場合、ＵＥは、有利には測定構成を保つことも、保たないこともできる。測定ギャップがアップリンクデータ到着に勝る優先順位を有する場合も、課題を生じることがある。いくつかの態様では、ＵＥは、測定ギャップ中にＲＡＣＨを使用することを要求されるか、または代替的に、測定を優先させてＲＡＣＨを遅延させることを要求されることがある。
【００３８】
測定ギャップに優先して進行中のＲＡＣＨにコミットメントを与えることによって、測定ギャップとともに構成された接続されたＵＥは、プロシージャの完了を保証することができる。
【００３９】
ＳＲが割り当てられないときは、ｅＮＢ動作を可能にすることが有利である。ＵＥは、次回の測定ギャップの前にＲＡＣＨを開始していることがあり得る。ＵＥは、自律送信を実行する前に将来のギャップを「期待する」ことが予想されていない。特に、メッセージ２、メッセージ３またはメッセージ４が測定ギャップと衝突する場合について考える。メッセージ２（ランダムアクセス応答（ＲＡＲ））の場合、消失した場合の結果は、ＵＥが、ＲＡＲ応答ウィンドウが終了した後の次の機会にＰＲＡＣＨを再送信し、余分のＰＲＡＣＨおよびＲＡＲ負荷を生成するということであり得る。
【００４０】
メッセージ３（最初のＵＬ−ＳＣＨメッセージ）の場合、競合ベースのＲＡＣＨがあると、ｅＮＢは、どのＣ−ＲＮＴＩがその許可を得ているのかを知らず、したがって、ｅＮＢは測定ギャップとＭＳＧ３との衝突を回避することができないことに留意されたい。ＵＥが、そのギャップ中に最初のＵＬ  ＴＸをスケジュールするＲＡＲを受信し、ＵＥが、測定するかまたは送信するかのいずれかを任せられ得、メッセージ３の送信を進めることを強制されるか、あるいは測定を実行することを強制され得ることについて考える。後者の場合、ｅＮＢは、ＵＥがギャップのために送信しなかったかどうかを知らない。ｅＮＢは、非適応型送信をトリガするためにその送信をＮＡＫすることがある。最初の送信がスキップされたときに、それがＮＡＫと見なされ、非適応型再送信が続くことを述べることは、望ましくないと考えられる。（ただし、特定のケースでは、ＳＲが割り当てられるべきであることに留意されたい。）ｅＮＢは、適応型送信をトリガすることがある。それは、ＵＥが測定を実行した場合、ｅＮＢの実装をやや複雑にすることがある。例示的な一態様では、ＵＥは、ＲＡＣＨが進行中の場合でも測定を実行することができるが、ＵＥは、ＲＡＣＨに応答することもできる。
【００４１】
メッセージ４（競合解消メッセージ）の場合、接続され、測定ギャップを有するＵＥに対して、ＭＳＧ４が送信される時間までには、ｅＮＢがギャップ中にＭＳＧ４を送信することを避けることがあることについて考える。競合解消タイマが適宜に選択され得ることに留意されたい。進行中のＲＡＣＨを測定よりも優先させることは、より良いシステムパフォーマンスを与えることができる。
【００４２】
ＲＡＣＨを開始する前に測定ギャップを予測することに関して、代替的に測定ギャップがＲＡＣＨに勝る優先順位を与えられた場合、ＵＥは、ＲＡＣＨを開始する前に将来の測定ギャップを考慮に入れることから利益を得ることがある。特に、ＲＡＲウィンドウが測定ギャップと部分的に重複するか、またはメッセージ３の送信のウィンドウがギャップと重複する場合、ＵＥはＰＲＡＣＨ送信を遅延させることを希望することがある。
【００４３】
サービス要求（ＳＲ）に関して、一態様では、測定ギャップを使用する必要がなく、保留中のアップリンクトラフィックを有するＵＥが、ＵＬトラフィックに対する要求を促進することを可能にする、ＵＥが測定ギャップ中にＳＲを使用することについて考える。ｅＮＢは、ギャップが終わった後にＵＥをスケジュールするか、またはＵＥが測定ギャップ中にＳＲを使用することが、ＵＥがその測定の必要をキャンセルしたことを意味すると解釈するかのいずれかによって、ＳＲに反応することができる。それから後は、ＵＬおよびＤＬがスケジュールされ得る。代替的に、ＵＥが、ＵＥのフレキシビリティの不可欠な損失を伴いながら測定ギャップ中にＳＲを使用しないが、その場合、測定の後までＳＲを遅延させることがあることについて考える。
【００４４】
Ｅ−ＵＴＲＡにおけるＲＡＴ間および周波数間測定のための測定ギャップの仕様についてのＬ１関連の態様に関する例示的な実装形態では、６ｍｓの単一の測定ギャップ継続時間が周期的に「スケジュール」され得る（たとえば、１０ｍｓごとに最高１つの測定ギャップ）。測定ギャップロケーションに関して、測定ギャップは、複数のサブフレームからなり、ＵＥにおけるＤＬサブフレームタイミングと整合させられ得る。測定ギャップと重複する送信のためのＵＥの挙動に関して、ＵＥは、ＵＥが測定を実行するように構成されたサブフレームにおいてＰＵＳＣＨ上で再送信しない。
【００４５】
次に、図面を参照しながら様々な態様が説明される。以下の記述では、説明の目的で、１つまたは複数の態様の完全な理解を与えるために多数の具体的な詳細が記載される。ただし、様々な態様は、これらの具体的な詳細なしに実施され得ることは明白であり得る。他の例では、これらの態様の説明を容易にするために、よく知られている構造およびデバイスはブロック図の形態で示される。
【００４６】
最初に図１を参照すると、進化型ベースノード（ｅＮＢ）１０２として示される基地局の通信システム１００は、無線（ＯＴＡ）リンク１０４を介して測定ギャップスケジューリング１０３をユーザ機器（ＵＥ）１０６と通信する。例示的な一態様では、測定ギャップが、ＵＥ１０６のＲＲＣ＿ＣＯＮＮＥＣＴＥＤ状態に関して存在し、ターゲットｅＮＢ１０８として示される、周波数間および／または無線アクセス技術（Ｒａｄｉｏ  Ａｃｃｅｓｓ  Ｔｅｃｈｎｏｌｏｇｙ：ＲＡＴ）間セルを測定するために使用される。有利には、常に、測定ギャップ中にソースｅＮＢ１０２がどんなデータをも送信しないのを防ぎ、ターゲットｅＮＢ１０８のターゲットキャリア周波数１１０に同調するようにＵＥ１０６に要求する、過度に単純な手法は避けられる。測定ギャップは、無線リソース制御（ＲＲＣ）とともに構成され、いくつかの態様では、ＲＲＣはそのプロシージャの最大処理時間を指定することができる。一態様では、最大処理時間の前の任意の時間に、測定ギャップとともにＲＲＣによって媒体アクセス制御（ＭＡＣ）が構成され、したがって、ｅＮＢ１０２は、測定ギャップの効率的な使用を可能にする役割を実行する。特に、いくつかの例では適切な測定が実行され、適切なアップリンク通信１１２がアップリンク１１４を介してそれぞれ送信／受信される。
【００４７】
特に、ソースｅＮＢ１０２の測定ギャップ可能化コンポーネント１１６と、ＵＥ１０６の測定ギャップ処理コンポーネント１１８とは、測定ギャップを割り当てる／処理するための方法または動作シーケンス１２０を実行するために協力して働く。ブロック１２２において、ソースキャリア周波数からターゲットキャリア周波数に同調するために測定ギャップのためのダウンリンク上の無線リソース制御（ＲＲＣ）割当てを、ｅＮＢが割り当て、ＵＥが受信する。測定ギャップに適合するためにスケジューリング競合を、ｅＮＢが可能にし、ＵＥが判断し（ブロック１２４）、スケジューリング競合についてあらかじめ定義されたプロトコルに従って媒体アクセス制御（ＭＡＣ）プロセスを、ｅＮＢが可能にし、ＵＥが実行する（ブロック１２６）。それによって、ＵＥ１０６が、１３０において図示されるデュアルモードではなく、１つの利用可能なトランシーバ（たとえば、Ｔｘ、Ｒｘ）１２８を有するとしても、測定ギャップスケジューリング１０３を適切に利用することができる。
【００４８】
図２Ａには、割り当てられた測定ギャップにより起こるスケジューリング競合に対処するための具体的な例に関する方法または動作シーケンス２００が示されている。ブロック２０２において、測定ギャップ中に発生するアップリンク肯定応答／否定応答（Ａｃｋ／Ｎａｋ）フィードバックを促す測定ギャップの前に発生するダウンリンク共有チャネル（ＤＬ−ＳＣＨ）から、スケジューリング競合が起こるという判断である場合、測定ギャップの前に受信されたダウンリンク共有チャネルを処理し、ＡＣＫ／ＮＡＫフィードバックデータをバッファに入れる（ブロック２０４）ことによって、スケジューリング競合についてあらかじめ定義されたプロトコルに従ってＭＡＣプロセスが実行される。ＡＣＫ／ＮＡＫフィードバックは、測定ギャップ中に送信されるのを妨げられる（ブロック２０６）。ＡＣＫ／ＮＡＫフィードバックに従って測定ギャップの後の再送信のための準備が行われる（ブロック２０８）。
【００４９】
ブロック２１０において、測定ギャップ中に発生するダウンリンク共有チャネル（ＤＬ−ＳＣＨ）からスケジューリング競合が起こるという判断が行われる。そうであれば、測定ギャップ中に物理データおよび制御チャネルの処理を省略する（ブロック２１２）ことと、対応するアップリンクＡＣＫ／ＮＡＫフィードバックを送信することを省略する（ブロック２１４）ことと、によって、スケジューリング競合についてあらかじめ定義されたプロトコルに従ってＭＡＣプロセスが実行される。
【００５０】
ブロック２１６において、測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから、スケジューリング競合が起こるという判断が行われる。そうであれば、測定ギャップの前に受信されたダウンリンク共有チャネルを処理し、ＡＣＫ／ＮＡＫフィードバックデータをバッファに入れる（ブロック２１８）ことによって、スケジューリング競合についてあらかじめ定義されたプロトコルに従ってＭＡＣプロセスが実行される。Ａｃｋ／Ｎａｋフィードバックは、測定ギャップ中に送信されるのを妨げられる（ブロック２２０）。ＡＣＫ／ＮＡＫフィードバックに従って測定ギャップの後の再送信のための準備が行われる（ブロック２２２）。
【００５１】
ブロック２２４において、半永続的にスケジュールされた（ＳＰＳ）最初の送信がコンストラクティブリィ（constructively）に受信される、測定ギャップ中に発生する半永続的に割り振られたダウンリンク共有チャネル（ＤＬ−ＳＣＨ）からスケジューリング競合が起こるという判断が行われる。そうであれば、測定ギャップ中に物理データおよび制御チャネルの処理を省略する（ブロック２２６）ことによって、スケジューリング競合についてあらかじめ定義されたプロトコルに従ってＭＡＣプロセスが実行される。ＳＰＳユーザ機器（ＵＥ）生成のダウンリンク割当てがＭＡＣによって受信される（ブロック２２８）。ＵＥ生成のダウンリンク割当てに関してＤＬ−ＳＣＨの受信が省略される（ブロック２３０）。ＡＣＫ／ＮＡＫフィードバックに従って測定ギャップの後の再送信のための準備が行われる（ブロック２３２）。
【００５２】
続いて図２Ｂ中のブロック２３４では、測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から、スケジューリング競合が起こるという判断が行われる。そうであれば、アップリンク共有チャネル（ＵＬ−ＳＣＨ）の最初の送信または再送信をキャンセルする（ブロック２３６）ことによって、スケジューリング競合についてあらかじめ定義されたプロトコルに従ってＭＡＣプロセスが実行される。ＵＬ−ＳＣＨの最初の送信または再送信は、否定応答された（ＮＡＫされた）と見なされる（ブロック２３８）。
【００５３】
ブロック２４０において、測定ギャップ中に発生する物理ダウンリンク制御チャネル（ＰＤＣＣＨ）から、スケジューリング競合が起こるという判断が行われる。そうであれば、測定ギャップ中に物理データ制御チャネルの処理を省略する（ブロック２４２）ことによって、スケジューリング競合についてあらかじめ定義されたプロトコルに従ってＭＡＣプロセスが実行される。物理アップリンク共有チャネル（ＰＵＳＣＨ）上で送信することは、測定ギャップ中、省略される（ブロック２４４）。
【００５４】
ブロック２４６において、測定ギャップ中に発生する半永続的に割り振られたアップリンク共有制御チャネル（ＵＬ−ＳＣＨ）から、スケジューリング競合が起こるという判断が行われる。そうであれば、測定ギャップ中に物理データおよび制御チャネルの処理を省略する（ブロック２４８）ことによって、スケジューリング競合についてあらかじめ定義されたプロトコルに従ってＭＡＣプロセスが実行される。ＵＬ−ＳＣＨの最初の送信または再送信は、キャンセルされ、否定応答された（Ｎａｋされた）と見なされる（ブロック２５０）。ＡＣＫ／ＮＡＫフィードバックに従って測定ギャップの後の再送信のための準備が行われる（ブロック２５２）。
【００５５】
ブロック２５４において、前記測定ギャップと衝突する送信時間間隔（ＴＴＩ）バンドルの終了から、スケジューリング競合が起こるという判断が行われる。そうであれば、測定ギャップと重複しないＴＴＩバンドルの開始部分を送信し、衝突している終了をキャンセルする（ブロック２５６）ことによって、スケジューリング競合についてあらかじめ定義されたプロトコルに従ってＭＡＣプロセスが実行される。受信された場合、バンドルの最後の意図されたＴＴＩに関するＡＣＫ／ＮＡＫフィードバックが使用される（ブロック２５８）。そうではなく、ＡＣＫ／ＮＡＫフィードバックが測定ギャップと衝突した場合、このバンドルは、中断することによって肯定応答された（ＡＣＫ）と見なされる（ブロック２６０）。
【００５６】
ブロック２６２において、前記測定ギャップと衝突する送信時間間隔（ＴＴＩ）バンドルの開始から、スケジューリング競合が起こるという判断が行われる。そうであれば、測定ギャップと重複しないＴＴＩバンドルの終了部分を送信し、開始をキャンセルする（ブロック２６４）ことによって、スケジューリング競合についてあらかじめ定義されたプロトコルに従ってＭＡＣプロセスが実行される。挙動は、バンドルの最後の意図されたＴＴＩに関して受信されたＡＣＫ／ＮＡＫフィードバックに従う（ブロック２６６）。
【００５７】
ブロック２６８において、前記測定ギャップと衝突する送信時間間隔（ＴＴＩ）バンドルから、スケジューリング競合が起こるという判断が行われる。そうであれば、ＴＴＩバンドルに関するすべての送信をキャンセルする（ブロック２７０）ことによって、スケジューリング競合についてあらかじめ定義されたプロトコルに従ってＭＡＣプロセスが実行される。ＴＴＩバンドルは、ＴＴＩバンドルに関して否定応答された（Ｎａｋ）と見なされる（ブロック２７２）。
【００５８】
ブロック２７４において、測定ギャップとのランダムアクセスチャネル（ＲＡＣＨ）プロシージャの所望の使用から、スケジューリング競合が起こるという判断が行われる。そうであれば、測定ギャップを利用することおよびＲＡＣＨプロシージャを利用することのうちの１つを選択する（ブロック２７６）ことによって、スケジューリング競合についてあらかじめ定義されたプロトコルに従ってＭＡＣプロセスが実行される。
【００５９】
ブロック２７８において、測定ギャップとのランダムアクセスチャネル（ＲＡＣＨ）プロシージャの進行中の使用から、スケジューリング競合が起こるという判断が行われる。そうであれば、ＲＡＣＨプロシージャが完了するまで測定ギャップを使用しない（ブロック２８０）ことによって、スケジューリング競合についてあらかじめ定義されたプロトコルに従ってＭＡＣプロセスが実行される。
【００６０】
ブロック２８２において、測定ギャップ中のサービス要求（ＳＲ）の所望の使用から、スケジューリング競合が起こるという判断が行われる。そうであれば、測定ギャップを利用することおよびサービス要求を送信することのうちの１つを選択する（ブロック２８４）ことによって、スケジューリング競合についてあらかじめ定義されたプロトコルに従ってＭＡＣプロセスが実行される。
【００６１】
ワイヤレス通信システムが、ボイス、データなど、様々なタイプの通信コンテンツを提供するために広く展開されていることが諒解されるべきである。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システムを含む。
【００６２】
概して、ワイヤレス多元接続通信システムは、複数のワイヤレス端末のための通信を同時にサポートすることができる。各端末は、順方向リンクおよび逆方向リンク上の送信を介して１つまたは複数の基地局と通信する。順方向リンク（またはダウンリンク）は、基地局から端末への通信リンクを指し、逆方向リンク（またはアップリンク）は、端末から基地局への通信リンクを指す。この通信リンクは、単入力単出力、多入力単出力、または多入力多出力（ＭＩＭＯ）システムを介して確立され得る。
【００６３】
ＭＩＭＯシステムは、データ送信用の複数（ＮT）個の送信アンテナおよび複数（ＮR）個の受信アンテナを使用する。ＮT個の送信アンテナおよびＮR個の受信アンテナによって形成されたＭＩＭＯチャネルは、空間チャネルとも呼ばれるＮS個の独立チャネルに分解され得、ここで、ＮS≦ｍｉｎ｛ＮT，ＮR｝である。ＮS個の独立チャネルの各々は、１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００６４】
ＭＩＭＯシステムは、時分割複信（ＴＤＤ）および周波数分割複信（ＦＤＤ）システムをサポートする。ＴＤＤシステムでは、順方向および逆方向リンク送信が同一周波数領域上で行われるので、相反定理が逆方向リンクチャネルからの順方向リンクチャネルの推定を可能にする。これは、複数のアンテナがアクセスポイントで利用可能なとき、アクセスポイントが順方向リンク上で送信ビームフォーミング利得を取り出すことを可能にする。
【００６５】
図３を参照すると、一態様による多元接続ワイヤレス通信システムが示されている。アクセスポイント４５０（ＡＰ）は複数のアンテナグループを含み、あるアンテナグループは４５４および４５６を含み、別のアンテナグループは４５８および４６０を含み、追加のアンテナグループは４６２および４６４を含む。図３では、アンテナグループごとに２つのアンテナのみが示されているが、アンテナグループごとにより多いまたはより少ないアンテナが利用され得る。アクセス端末（ＡＴ）４６６は、アンテナ４６２および４６４と通信中であり、アンテナ４６２および４６４は、順方向リンク４７０上でアクセス端末４６６に情報を送信し、逆方向リンク４６８上でアクセス端末４６６から情報を受信する。アクセス端末４７２は、アンテナ４５６および４５８と通信中であり、アンテナ４５６および４５８は、順方向リンク４７６上でアクセス端末４７２に情報を送信し、逆方向リンク４７４上でアクセス端末４７２から情報を受信する。ＦＤＤシステムでは、通信リンク４６８、４７０、４７４および４７６は、通信のための異なる周波数を使用することができる。たとえば、順方向リンク４７０は、逆方向リンク４６８によって使用される周波数とは異なる周波数を使用することができる。アンテナの各グループ、および／またはアンテナが通信するように設計されたエリアは、しばしば、アクセスポイント４５０のセクタと呼ばれる。本態様では、アンテナグループはそれぞれ、アクセスポイント４５０によってカバーされるエリアのセクタ内でアクセス端末４６６、４７２に通信するように設計される。
【００６６】
順方向リンク４７０および４７６上の通信では、アクセスポイント４５０の送信アンテナは、異なるアクセス端末４６６および４７４に対して順方向リンクの信号対雑音比を改善するためにビームフォーミングを利用する。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００６７】
アクセスポイント４５０は、端末との通信に使用される固定局であり得、アクセスポイント、Ｎｏｄｅ  Ｂ、または何らかの他の用語で呼ばれることもある。アクセス端末４６６、４７２は、ユーザ機器（ＵＥ）、ワイヤレス通信デバイス、端末、アクセス端末または何らかの他の用語で呼ばれることもある。
【００６８】
図４は、ＭＩＭＯシステム５００における送信機システム５１０（アクセスポイントとしても知られる）および受信機システム５５０（アクセス端末としても知られる）の一態様のブロック図である。送信機システム５１０において、いくつかのデータストリームのトラフィックデータがデータソース５１２から送信（ＴＸ）データプロセッサ５１４に供給される。
【００６９】
一態様では、各データストリームは、それぞれの送信アンテナを介して送信される。ＴＸデータプロセッサ５１４は、符号化データを与えるために、そのデータストリーム用に選択された特定の符号化方式に基づいて各データストリームのトラフィックデータをフォーマッティングし、符号化し、インターリーブする。
【００７０】
各データストリームの符号化データは、ＯＦＤＭ技法を使用してパイロットデータで多重化され得る。パイロットデータは、典型的には、知られている方法で処理され、チャネル応答を推定するために受信機システムにおいて使用され得る知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、メモリ５３２を使用してプロセッサ５３０によって実行される命令によって判断され得る。
【００７１】
次いで、すべてのデータストリームの変調シンボルがＴＸ  ＭＩＭＯプロセッサ５２０に供給され、ＴＸ  ＭＩＭＯプロセッサ５２０はさらに（たとえば、ＯＦＤＭの場合）その変調シンボルを処理する。次いで、ＴＸ  ＭＩＭＯプロセッサ５２０は、ＮT個の変調シンボルストリームをＮT個の送信機（ＴＭＴＲ）５２２ａ〜５２２ｔに供給する。いくつかの実装形態では、ＴＸ  ＭＩＭＯプロセッサ５２０は、データストリームのシンボルと、シンボルが送信されているアンテナと、にビームフォーミング重みを適用する。
【００７２】
各送信機５２２は、１つまたは複数のアナログ信号を与えるために、それぞれのシンボルストリームを受信し、処理して、さらに、ＭＩＭＯチャネルを介して送信するのに適した変調信号を与えるために、それらのアナログ信号を調整（たとえば、増幅、フィルタ処理、およびアップコンバート）する。次いで、送信機５２２ａ〜５２２ｔからのＮT個の変調信号は、それぞれ、ＮT個のアンテナ５２４ａ〜５２４ｔから送信される。
【００７３】
受信機システム５５０において、送信された変調信号は、ＮR個のアンテナ５５２ａ〜５５２ｒによって受信され、各アンテナ５５２からの受信信号は、それぞれの受信機（ＲＣＶＲ）５５４ａ〜５５４ｒに供給される。各受信機５５４は、サンプルを与えるために、それぞれの受信信号を調整（たとえば、フィルタ処理、増幅、およびダウンコンバート）し、調整された信号をデジタル化して、さらに、対応する「受信」シンボルストリームを与えるために、それらのサンプルを処理する。
【００７４】
次いで、ＲＸデータプロセッサ５６０は、ＮT個の「検出」シンボルストリームを与えるために、特定の受信機処理技法に基づいてＮR個の受信機５５４からＮR個の受信シンボルストリームを受信し、処理する。次いで、ＲＸデータプロセッサ５６０は、データストリームに対するトラフィックデータを復元するために、各検出シンボルストリームを復調し、デインターリーブし、復号する。ＲＸデータプロセッサ５６０による処理は、送信機システム５１０におけるＴＸ  ＭＩＭＯプロセッサ５２０およびＴＸデータプロセッサ５１４によって実行される処理と相補的なものである。
【００７５】
プロセッサ５７０は、どのプリコーディング行列を使用すべきかを周期的に判断する（以下で説明する）。プロセッサ５７０は、メモリ５７２を使用して、行列インデックス部とランク値部とを備える逆方向リンクメッセージを作成する。
【００７６】
逆方向リンクメッセージは、通信リンクおよび／または受信データストリームに関する様々なタイプの情報を備えることができる。次いで、逆方向リンクメッセージは、データソース５３６からいくつかのデータストリームのトラフィックデータをも受信するＴＸデータプロセッサ５３８によって処理され、変調器５８０によって変調され、送信機５５４ａ〜５５４ｒによって調整され、送信機システム５１０に戻る送信がなされる。
【００７７】
送信機システム５１０において、受信機システム５５０からの変調信号は、アンテナ５２４によって受信され、受信機５２２によって調整され、復調器５４０によって復調され、受信機システム５５０によって送信された逆方向リンクメッセージを抽出するためにＲＸデータプロセッサ５４２によって処理される。次いで、プロセッサ５３０は、ビームフォーミング重みを判断するためにどのプリコーディング行列を使用すべきかを判断し、次いで、抽出されたメッセージを処理する。
【００７８】
一態様では、論理チャネルは、制御チャネル（Ｃｏｎｔｒｏｌ  Ｃｈａｎｎｅｌｓ）とトラフィックチャネル（Ｔｒａｆｆｉｃ  Ｃｈａｎｎｅｌｓ）とに分類される。論理制御チャネル（Ｌｏｇｉｃａｌ  Ｃｏｎｔｒｏｌ  Ｃｈａｎｎｅｌｓ）は、システム制御情報をブロードキャストするためのＤＬチャネルであるブロードキャスト制御チャネル（Ｂｒｏａｄｃａｓｔ  Ｃｏｎｔｒｏｌ  Ｃｈａｎｎｅｌ：ＢＣＣＨ）を備える。ページング情報を転送するＤＬチャネルであるページング制御チャネル（Ｐａｇｉｎｇ  Ｃｏｎｔｒｏｌ  Ｃｈａｎｎｅｌ：ＰＣＣＨ）。１つまたは複数のＭＴＣＨについてのマルチメディアブロードキャストおよびマルチキャストサービス（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ：ＭＢＭＳ）のスケジューリングおよび制御情報を送信するために使用されるポイントツーマルチポイント（Ｐｏｉｎｔ−ｔｏ−ｍｕｌｔｉｐｏｉｎｔ）ＤＬチャネルであるマルチキャスト制御チャネル（Ｍｕｌｔｉｃａｓｔ  Ｃｏｎｔｒｏｌ  Ｃｈａｎｎｅｌ：ＭＣＣＨ）。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（Ｄｅｄｉｃａｔｅｄ  Ｃｏｎｔｒｏｌ  Ｃｈａｎｎｅｌ：ＤＣＣＨ）は、専用制御情報を送信するポイントツーポイント（Ｐｏｉｎｔ−ｔｏ−ｐｏｉｎｔ）双方向チャネルであり、ＲＲＣ接続を有するＵＥによって使用される。態様では、論理トラフィックチャネル（Ｌｏｇｉｃａｌ  Ｔｒａｆｆｉｃ  Ｃｈａｎｎｅｌｓ）は、ユーザ情報を転送するための１つのＵＥに専用のポイントツーポイント（Ｐｏｉｎｔ−ｔｏ−ｐｏｉｎｔ）双方向チャネルである専用トラフィックチャネル（Ｄｅｄｉｃａｔｅｄ  Ｔｒａｆｆｉｃ  Ｃｈａｎｎｅｌ：ＤＴＣＨ）を備える。さらに、トラフィックデータを送信するためのポイントツーマルチポイント（Ｐｏｉｎｔ−ｔｏ−ｍｕｌｔｉｐｏｉｎｔ）ＤＬチャネルのためのマルチキャストトラフィックチャネル（Ｍｕｌｔｉｃａｓｔ  Ｔｒａｆｆｉｃ  Ｃｈａｎｎｅｌ：ＭＴＣＨ）。
【００７９】
一態様では、トランスポートチャネル（Ｔｒａｎｓｐｏｒｔ  Ｃｈａｎｎｅｌｓ）は、ＤＬとＵＬとに分類される。ＤＬトランスポートチャネル（ＤＬ  Ｔｒａｎｓｐｏｒｔ  Ｃｈａｎｎｅｌｓ）は、ブロードキャストチャネル（Ｂｒｏａｄｃａｓｔ  Ｃｈａｎｎｅｌ：ＢＣＨ）と、ダウンリンク共有データチャネル（Ｄｏｗｎｌｉｎｋ  Ｓｈａｒｅｄ  Ｄａｔａ  Ｃｈａｎｎｅｌ：ＤＬ−ＳＤＣＨ）と、ＵＥ節電（ＤＲＸサイクルがネットワークによってＵＥに示される）をサポートするためのページングチャネル（Ｐａｇｉｎｇ  Ｃｈａｎｎｅｌ：ＰＣＨ）とを備え、これらのチャネルは、セル全体にわたってブロードキャストされ、他の制御／トラフィックチャネル用に使用され得るＰＨＹリソースにマッピングされる。ＵＬトランスポートチャネル（ＵＬ  Ｔｒａｎｓｐｏｒｔ  Ｃｈａｎｎｅｌｓ）は、ランダムアクセスチャネル（Ｒａｎｄｏｍ  Ａｃｃｅｓｓ  Ｃｈａｎｎｅｌ：ＲＡＣＨ）、要求チャネル（Ｒｅｑｕｅｓｔ  Ｃｈａｎｎｅｌ：ＲＥＱＣＨ）、アップリンク共有データチャネル（Ｕｐｌｉｎｋ  Ｓｈａｒｅｄ  Ｄａｔａ  Ｃｈａｎｎｅｌ：ＵＬ−ＳＤＣＨ）、および複数のＰＨＹチャネルを備える。ＰＨＹチャネルは、ＤＬチャネルとＵＬチャネルとのセットを備える。
【００８０】
ＤＬ  ＰＨＹチャネルは、共通パイロットチャネル（Ｃｏｍｍｏｎ  Ｐｉｌｏｔ  Ｃｈａｎｎｅｌ：ＣＰＩＣＨ）、同期チャネル（Ｓｙｎｃｈｒｏｎｉｚａｔｉｏｎ  Ｃｈａｎｎｅｌ：ＳＣＨ）、共通制御チャネル（Ｃｏｍｍｏｎ  Ｃｏｎｔｒｏｌ  Ｃｈａｎｎｅｌ：ＣＣＣＨ）、共有ＤＬ制御チャネル（Ｓｈａｒｅｄ  ＤＬ  Ｃｏｎｔｒｏｌ  Ｃｈａｎｎｅｌ：ＳＤＣＣＨ）、マルチキャスト制御チャネル（Ｍｕｌｔｉｃａｓｔ  Ｃｏｎｔｒｏｌ  Ｃｈａｎｎｅｌ：ＭＣＣＨ）、共有ＵＬ割当てチャネル（Ｓｈａｒｅｄ  ＵＬ  Ａｓｓｉｇｎｍｅｎｔ  Ｃｈａｎｎｅｌ：ＳＵＡＣＨ）、肯定応答チャネル（Ａｃｋｎｏｗｌｅｄｇｅｍｅｎｔ  Ｃｈａｎｎｅｌ：ＡＣＫＣＨ）、ＤＬ物理共有データチャネル（ＤＬ  Ｐｈｙｓｉｃａｌ  Ｓｈａｒｅｄ  Ｄａｔａ  Ｃｈａｎｎｅｌ：ＤＬ−ＰＳＤＣＨ）、ＵＬ電力制御チャネル（ＵＬ  Ｐｏｗｅｒ  Ｃｏｎｔｒｏｌ  Ｃｈａｎｎｅｌ：ＵＰＣＣＨ）、ページングインジケータチャネル（Ｐａｇｉｎｇ  Ｉｎｄｉｃａｔｏｒ  Ｃｈａｎｎｅｌ：ＰＩＣＨ）、負荷インジケータチャネル（Ｌｏａｄ  Ｉｎｄｉｃａｔｏｒ  Ｃｈａｎｎｅｌ：ＬＩＣＨ）を備え、ＵＬ  ＰＨＹチャネル（ＵＬ  ＰＨＹ  Ｃｈａｎｎｅｌｓ）は、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）、チャネル品質インジケータチャネル（Ｃｈａｎｎｅｌ  Ｑｕａｌｉｔｙ  Ｉｎｄｉｃａｔｏｒ  Ｃｈａｎｎｅｌ：ＣＱＩＣＨ）、肯定応答チャネル（Ａｃｋｎｏｗｌｅｄｇｅｍｅｎｔ  Ｃｈａｎｎｅｌ：ＡＣＫＣＨ）、アンテナサブセットインジケータチャネル（Ａｎｔｅｎｎａ  Ｓｕｂｓｅｔ  Ｉｎｄｉｃａｔｏｒ  Ｃｈａｎｎｅｌ：ＡＳＩＣＨ）、共有要求チャネル（Ｓｈａｒｅｄ  Ｒｅｑｕｅｓｔ  Ｃｈａｎｎｅｌ：ＳＲＥＱＣＨ）、ＵＬ物理共有データチャネル（ＵＬ  Ｐｈｙｓｉｃａｌ  Ｓｈａｒｅｄ  Ｄａｔａ  Ｃｈａｎｎｅｌ：ＵＬ−ＰＳＤＣＨ）、ブロードバンドパイロットチャネル（Ｂｒｏａｄｂａｎｄ  Ｐｉｌｏｔ  Ｃｈａｎｎｅｌ：ＢＰＩＣＨ）を備える。
【００８１】
図５では、進化型ベースノード（ｅＮＢ）６００として示されるサービング無線アクセスネットワーク（ＲＡＮ）は、測定ギャップを割り当てることをコンピュータに行わせるためのコードのセットなどの手段を与えるコンピューティングプラットフォーム６０２を有する。特に、コンピューティングプラットフォーム６０２は、（１つまたは複数の）プロセッサ６２０によって実行される複数のモジュール６０６〜６０８を記憶するコンピュータ可読記憶媒体（たとえば、メモリ）６０４を含む。プロセッサ６２０によって制御される変調器６２２は、送信機６２４による変調のためにダウンリンク信号を準備し、ダウンリンク信号は（１つまたは複数の）アンテナ６２６によって放射される。受信機６２８は、（１つまたは複数の）アンテナ６２６から、復調器６３０によって復調され、復号のためにプロセッサ６２０に供給されるアップリンク信号を受信する。特に、ソースキャリア周波数からターゲットキャリア周波数に同調するために測定ギャップのためのダウンリンク上の無線リソース制御（ＲＲＣ）割当てを受信するための手段（たとえば、モジュール、コードのセット）６０６が提供される。測定ギャップに適合するためにスケジューリング競合を判断するための手段（たとえば、モジュール、コードのセット）６０８が提供される。スケジューリング競合についてあらかじめ定義されたプロトコルに従って媒体アクセス制御（ＭＡＣ）プロセスを実行するための手段（たとえば、モジュール、コードのセット）６０８が提供される。
【００８２】
図５を引き続き参照すると、ユーザ機器（ＵＥ）６５０として示される移動局は、測定ギャップを処理することをコンピュータに行わせるためのコードのセットなどの手段を与えるコンピューティングプラットフォーム６５２を有する。特に、コンピューティングプラットフォーム６５２は、（１つまたは複数の）プロセッサ６７０によって実行される複数のモジュール６５６〜６６０を記憶するコンピュータ可読記憶媒体（たとえば、メモリ）６５４を含む。プロセッサ６７０によって制御される変調器６７２は、送信機６７４による変調のためにアップリンク信号を準備し、アップリンク信号は、６７７において示されるように（１つまたは複数の）アンテナ６７６によってｅＮＢ６００に放射される。受信機６７８は、（１つまたは複数の）アンテナ６７６から、復調器６８０によって復調され、復号のためにプロセッサ６７０に供給される、ｅＮＢ６００からのダウンリンク信号を受信する。特に、ソースキャリア周波数からターゲットキャリア周波数に同調するために測定ギャップのためのダウンリンク上の無線リソース制御（ＲＲＣ）割当てを送信するための手段（たとえば、モジュール、コードのセット）６５６が提供される。測定ギャップに適合するためにスケジューリング競合を判断することと、スケジューリング競合についてあらかじめ定義されたプロトコルに従って媒体アクセス制御（ＭＡＣ）プロセスを実行することとをユーザ機器が行うことを可能にするための手段（たとえば、モジュール、コードのセット）６５８が提供される。
【００８３】
図６Ａ〜図６Ｇに示されるさらなる態様に関して、方法または動作シーケンス７００は、ターゲットｅＮＢに対する測定を実行するためにソースｅＮＢによって許可される測定ギャップを少なくとも部分的に使用するかまたは無視する際の自律性（「独立宣言」）をＵＥに与える。７１０において示されるＤＬ−ＳＣＨ動的アロケーションでは、２つのケースについて考える。最初に、３ｍｓ未満（たとえば、ＦＤＤ、時々ＴＤＤの場合はそれ以上）測定を生じるＤＬ−ＳＣＨが、ＡＣＫ／ＮＡＫフィードバックを測定ギャップと衝突させるという判断が行われる（ブロック７１２）。いくつかの実装形態では、この状況が、測定ギャップの前の３つのサブフレームのより良い利用と、より多くのスケジューリングフレキシビリティとを達成することを可能にすることが、有利であるように思える。７１４において示される第１の提案される手法では、ＵＥの挙動は、測定の前に受信されたＤＬ−ＳＣＨを処理する（ＨＡＲＱデータをバッファに入れる）ことを伴う（ブロック７１６）。ＵＥは、測定中に発生するＡＣＫ／ＮＡＫフィードバックを送信せず、ＵＥは、そのプロセスのための後続の非適応型再送信を扱う準備ができている（ＨＡＲＱ状態）（ブロック７１８）。第２のケースに関して、ＤＬ−ＳＣＨが測定中に起こるという判断が行われた場合（ブロック７２０）、ＵＥは、測定ギャップ中にＰＤＣＣＨまたはＰＤＳＣＨを処理しない（ブロック７２２）。７２３において示される第２の提案される手法では、ＵＥは、測定ギャップ中に発生するＰＤＣＣＨまたはＤＬ−ＳＣＨを処理せず、あるいはＵＥは、対応するＵＬ  ＡＣＫ／ＮＡＫを送信することもしない（ブロック７２４）。したがって、ｅＮＢが測定ギャップ中にＰＤＣＣＨを使用することはエラーケースである（ブロック７２６）。
【００８４】
７２８において示される半永続的アロケーションでは、ｅＮＢは、そのＤＬ−ＳＣＨおよびＵＬ  ＡＣＫ／ＮＡＫリソースを別のＵＥに再割り振りすることを希望することがある（ブロック７３０）。再び、２つのケースについて考える。最初に、３ｍｓ未満測定を生じるＳＰＳ  ＤＬ−ＳＣＨが、ＡＣＫ／ＮＡＫフィードバックを測定と衝突させる（ブロック７３２）。それによって、測定ギャップの前の３つのサブフレームのより良い利用と、より多くのスケジューリングフレキシビリティがあることになると考えられる。７３４において示される第３の提案される手法では、ＵＥは、測定の前に受信されたＤＬ−ＳＣＨを処理する（ＨＡＲＱデータをバッファに入れる）（ブロック７３６）。７３８において示されるように、ＵＥは、測定ギャップ中に発生するＡＣＫ／ＮＡＫフィードバックを送信しない。ＵＥは、そのプロセスのための後続の非適応型再送信を扱う準備ができている（ＨＡＲＱ状態）（ブロック７３９）。第２のケースに関して、ＳＰＳ  ＤＬ−ＳＣＨが測定ギャップ中に起こる場合（ブロック７４０）、ＵＥは測定ギャップ中にＰＤＣＣＨまたはＰＤＳＣＨを処理しない（ブロック７４２）。しかしながら、（最初の送信のための）半永続的許可が、現在のＭＡＣ仕様を用いてＨＡＲＱによって「受信される」（ブロック７４４）。７４６において示される第４の提案される手法では、ＵＥは、測定ギャップ中に発生するＰＤＣＣＨまたはＤＬ−ＳＣＨを処理することも、対応するＵＬ  ＡＣＫ／ＮＡＫを送信することもしない（ブロック７４８）。しかしながら、ＳＰＳ「ＵＥ生成の」ＤＬ許可がＭＡＣによって受信される（ブロック７５０）。ＵＥ生成のＤＬ許可に関してＤＬ−ＳＣＨ受信は発生しない（ブロック７５２）。（決して処理されなかった）最初の送信のための後続の再送信がＰＤＣＣＨとともに発生し得る（ブロック７５４）。
【００８５】
７５６において示されるＵＬ−ＳＣＨ動的アロケーションに関して、２つのケースについて考える。最初に、ＰＤＣＣＨが測定ギャップの３ｍｓ（ＦＤＤ、またはＴＤＤの場合はそれ以上）前に発生し、対応するＵＬ−ＳＣＨが測定ギャップに入るという判断が行われる（ブロック７５８）。いくつかの実装形態では、指定されたＵＥ挙動を用いてｅＮＢの実装を簡略化することが望ましいことがある。特に、ＵＥは、その許可を任意の他の許可として処理するが、その場合、衝突しているＵＬ−ＳＣＨ送信をキャンセルし、それをＮＡＫされたと見なす（ブロック７６０）。したがって、７６２において示される第５の提案される手法では、ＵＥは、ＵＬ−ＳＣＨ送信をキャンセルし、それをＮＡＫされたと見なす。第２のケースに関して、ＵＬ−ＳＣＨのためのＰＤＣＣＨが測定マップ中に発生するという判断が行われた場合（ブロック７６４）、ＵＥは、ギャップ中にＰＤＣＣＨを処理しない。７６６において示される第６の提案される手法では、ＵＥは、測定ギャップ中にＵＬ許可のためのＰＤＣＣＨを受信しない（ブロック７６８）。さらに、ＵＥは、測定ギャップ中にＰＵＳＣＨ上で送信しない（ブロック７７０）。
【００８６】
７７２において示される半永続的アロケーションに関して、ｅＮＢは、測定ギャップ中に、半永続的にアロケートされたＵＬ−ＳＣＨリソースを別のＵＥに再アロケートすることを希望し、ギャップにおけるＵＥがそのリソースを決して使用しないことを知っていることがあり得る（ブロック７７４）。有利には、次いで、３ｍｓ未満測定を生じるＳＰＳ  ＵＬ−ＳＣＨが、ＡＣＫ／ＮＡＫフィードバックを測定と衝突させるとき（ブロック７７６）、ＵＥは、前に説明されたように、測定ギャップ内に入るフィードバックをＡＣＫと見なすことができる（ブロック７７８）。当該の第２のケースに関して、最初の送信のためのＵＬ  ＳＰＳ機会が測定中に起こるという判断が行われた場合（ブロック７８０）、ＵＥは、測定ギャップ中にＰＤＣＣＨまたはＰＤＳＣＨを処理しない（ブロック７８２）。従来、（最初の送信のための）半永続的許可が、現在のＭＡＣ仕様を用いてＨＡＲＱによって「受信される」（ブロック７８４）。７８６において示される第７の提案される手法では、ＳＰＳ「ＵＥ生成の」ＵＬ許可がＭＡＣによって受信される（ブロック７８８）。ＵＥは、ＵＬ−ＳＣＨ送信をキャンセルし、それをＮＡＫされたと見なす。（キャンセルされなかった）最初の送信のための後続の（適応型または非適応型）再送信がＰＤＣＣＨとともに発生し得る（ブロック７９０）。
【００８７】
７９１において示されるＴＴＩバンドリングに関して、測定ギャップについての当該の３つのケースについて考える。第１のケースでは、バンドルの終了が測定ギャップと衝突するという判断が行われた場合（ブロック７９２）、一般に、バンドルの長さとギャップの長さとを仮定すれば、ＡＣＫ／ＮＡＫフィードバックもギャップと衝突する（ブロック７９４）。リンクバジェットが、おそらくすでに制限されているので（ブロック７９６）、全バンドルをキャンセルすることは多くの例において望ましくない。上記のＵＬ−ＳＣＨルールと同様に、ＵＬ−ＳＣＨ送信は、ギャップ中に発生することができない（ブロック７９８）。ただし、すべてのケースにおいてバンドルをＮＡＫされたと見なすことは、すでに送信されたＴＴＩの数を仮定すれば、おそらく頻繁な無用の再送信につながる。一態様では、ＡＣＫが受信されたかのように挙動する（すなわち、中断し、ＰＤＣＣＨとともに再開する）ことが、より良いように思える（ブロック８００）。８０２において示される第８の提案される手法では、ＵＥは、ギャップと重複しないバンドルの部分（開始）を送信し、重複する部分（終了）をキャンセルする（ブロック８０４）。ＵＥは、このバンドルに関してＡＣＫが受信されたと見なす（すなわち、中断する）（ブロック８０６）。当該の第２のケースでは、ＴＴＩバンドルの開始がギャップと衝突するという判断が行われた場合、重複しない別の部分が、この例では、ｅＮＢからＡＣＫ／ＮＡＫを探すことを可能にする（ブロック８０７）。したがって、８０８において示される第９の提案される手法では、ＵＥは、ギャップと重複しないバンドルの部分を送信する（ブロック８０９）。重複する部分はキャンセルされる（ブロック８１０）。ＵＥは、バンドルの最後の「意図された」ＴＴＩに関して受信されたＡＣＫ／ＮＡＫフィードバックに従って挙動する（すなわち、ＵＥは、ＡＣＫまたはＮＡＫＮＡＫを受信することができる）（ブロック８１２）。当該の第３のケースでは、全ＴＴＩバンドルがＳＰＳとともに起こり得るなど、ギャップと衝突するという判断が行われる（ブロック８１４）。ＴＴＩバンドルの送信は、起こらない（ブロック８１６）。特に、最後のＴＴＩは、キャンセルされ、ＮＡＫされたと見なされる（ブロック８１８）。ただし、全ＴＴＩバンドルをキャンセルすることは、まれである。したがって、第１０の提案される手法８１９では、ＵＥは、バンドルのすべての送信をキャンセルする（ブロック８２０）。ＵＥは、（バンドルの終了がキャンセルされるので、）ＴＴＩバンドル送信をＡＣＫされたと見なす（ブロック８２２）。例示的な一実装形態では、常にバンドルの最後のＴＴＩに関係してＤＬ  ＡＣＫ／ＮＡＫフィードバックが送信される（ブロック８２４）。言い換えれば、バンドルが４つのサブフレームを有する場合、第４のサブフレームが送信されるか否かにかかわらず、ＡＣＫ／ＮＡＫのタイミングは、第４のサブフレームに関係する。
【００８８】
８２６において示される測定ギャップ中のＲＡＣＨに関して、常に測定ギャップよりもＲＡＣＨを優先させるわけではないことが有利であると考えられる（ブロック８２８）。特に、ＵＬデータ到着が測定ギャップと整合するときはいつもＳＲが構成されない場合、劣化した測定パフォーマンスが生じることがある（ブロック８３０）。一例として、構成された場合、バンドルボイスオーバーＩＰ（ｂｕｎｄｌｅｄ  Ｖｏｉｃｅ  ｏｖｅｒ  ＩＰ：ＶｏＩＰ）トラフィックが、４０ｍｓごとにＲＡＣＨをトリガすることがあり、測定ギャップと整合する６／４０の確率を有する。他方では、常に測定ギャップに優先順位を与えることは、遅延した測定報告という結果になることがあり、それは、ハンドオーバを遅延させ、失敗したハンドオーバの可能性を高めることがある。上記を仮定すれば、また、（もしあれば）どのルールが選択されたかにかかわらず、インターオペラビリティの影響がないことを考慮すれば、８３２において示される第１１の提案される手法では、ＲＡＣＨプロシージャが測定ギャップ中にトリガされるとき（ブロック８３４）、何が優先するかを指定する必要はなく、ＵＥは、ＲＡＣＨを開始するか、または測定を実行することができる（ブロック８３６）。測定ギャップ中の進行中のＲＡＣＨへのコミットメントに関して、ＵＥは、次回の測定ギャップの前にＲＡＣＨを開始していることがあり得る（ブロック８３８）。ＵＥは、自律送信を実行する前に将来のギャップを「期待する」ことが予想されていない。特に、以下で掲示されるメッセージは、測定ギャップと衝突することがある。メッセージ２（ランダムアクセス応答（ＲＡＲ））に関して、消失した場合の結果は、ＵＥが、ＲＡＲ応答ウィンドウが終了した後の次の機会にＰＲＡＣＨを再送信し、余分のＰＲＡＣＨおよびＲＡＲ負荷を生成するということである（ブロック８４０）。メッセージ３（最初のＵＬ−ＳＣＨメッセージ）に関して、競合ベースのＲＡＣＨがあると、ｅＮＢは、どのＣ−ＲＮＴＩがその許可を得ているのかを知らず、したがって、ｅＮＢは測定ギャップとＭＳＧ３との衝突を回避することができないことに留意されたい（ブロック８４２）。メッセージ４（競合解消メッセージ）に関して、ＵＥが測定ギャップを有する（接続されている）場合、ＭＳＧ４が送信される時間までには、ｅＮＢは、ギャップ中にＭＳＧ４を送信することを避けることがある（ブロック８４４）。競合リソースタイマーが適宜に選択され得ることに留意されたい。８４６において示される第１２の提案される手法は、ＵＥがＲＡＣＨプロシージャを開始したときのためのものである。ＵＥは、プロシージャが完了するまで測定ギャップを使用せず、それは帯域幅を浪費することを避ける（ブロック８４８）。ｅＮＢがメッセージ４を測定の周りにスケジュールすることがあることは確かであるが、メッセージ２およびメッセージ３の場合はＵＥに測定ギャップを使用させず、メッセージ４の場合はＵＥが測定を使用することを再び可能にすることは、実装を複雑にすることになる。そのために、ｅＮＢおよびＵＥの実装が単純に保たれるという点で、競合解消が促進される。
【００８９】
８５０において示されるサービス要求（ＳＲ）に関して、一態様では、ルールをすべての使用事例には課さず、さらに、ＳＲが優先順位を有するのか、または測定ギャップが優先順位を有するのかを指定しないことが有利である（ブロック８５２）。したがって、８５４において示される第１３の提案される手法では、ＳＲが測定ギャップ中にトリガされるとき、何が優先するのかを指定する必要はない。ＵＥは、ＳＲを送信するか、または測定を実行することができる（ブロック８５６）。
【００９０】
８５８において示されるランダムアクセス（Ｒａｎｄｏｍ  Ａｃｃｅｓｓ：ＲＡＣＨ）プロシージャに関して、初期化は、ＰＤＣＣＨ順序によるか、またはＭＡＣサブレイヤ自体によるものであり得る（ブロック８６０）。ＰＤＣＣＨ順序またはＲＲＣは、随意にランダムアクセスプリアンブル（Ｒａｎｄｏｍ  Ａｃｃｅｓｓ  Ｐｒｅａｍｂｌｅ）およびＰＲＡＣＨリソースを示す（ブロック８６２）。プロシージャが開始される前に、以下の情報が利用可能であると仮定される（ブロック８６４）：  
ランダムアクセスプリアンブル（Ｒａｎｄｏｍ  Ａｃｃｅｓｓ  Ｐｒｅａｍｂｌｅ）とそれらの対応するＲＡ−ＲＮＴＩとの送信のためのＰＲＡＣＨリソースの利用可能なセット。  
ランダムアクセスプリアンブル（Ｒａｎｄｏｍ  Ａｃｃｅｓｓ  Ｐｒｅａｍｂｌｅ）のグループと、各グループにおける利用可能なランダムアクセスプリアンブル（Ｒａｎｄｏｍ  Ａｃｃｅｓｓ  Ｐｒｅａｍｂｌｅ）のセット。  
ランダムアクセスプリアンブル（Ｒａｎｄｏｍ  Ａｃｃｅｓｓ  Ｐｒｅａｍｂｌｅ）の２つのグループのうちの１つを選択するために必要とされるしきい値。  
ＴＴＩウィンドウを導出するために必要とされるパラメータ。  
電力ランピングファクタＰＯＷＥＲ＿ＲＡＭＰ＿ＳＴＥＰ。  
パラメータＰＲＥＡＭＢＬＥ＿ＴＲＡＮＳ＿ＭＡＸ｛整数＞０｝。  
初期プリアンブル電力ＰＲＥＡＭＢＬＥ＿ＩＮＩＴＩＡＬ＿ＲＥＣＥＩＶＥＤ＿ＴＡＲＧＥＴ＿ＰＯＷＥＲ。  
パラメータＭｅｓｓａｇｅ３  ＨＡＲＱ送信の最大数（Ｍａｘｉｍｕｍ  ｎｕｍｂｅｒ  ｏｆ  Ｍｅｓｓａｇｅ３  ＨＡＲＱ  ｔｒａｎｓｍｉｓｓｉｏｎｓ）。  
上記のパラメータは、各ランダムアクセスプロシージャが開始される前に、上位レイヤから更新され得ることが留意されるべきである。
【００９１】
ランダムアクセスプロシージャは、次のように実行され得る：  
｛Ｍｅｓｓａｇｅ３｝バッファをフラッシングする（ブロック８７０）；  
ＰＲＥＡＭＢＬＥ＿ＴＲＡＮＳＭＩＳＳＩＯＮ＿ＣＯＵＮＴＥＲを１に設定する（ブロック８７２）；  
ＵＥ中のバックオフパラメータ値を０ｍｓに設定する（ブロック８７４）；  
ランダムアクセスリソース（Ｒａｎｄｏｍ  Ａｃｃｅｓｓ  Ｒｅｓｏｕｒｃｅ）の選択に進む（ブロック８７６）。  
一態様では、任意の時点にただ１つのランダムアクセス（Ｒａｎｄｏｍ  Ａｃｃｅｓｓ）プロシージャが進行中であることが留意されるべきである。別のものがすでに進行中である間、ＵＥが新しいランダムアクセス（Ｒａｎｄｏｍ  Ａｃｃｅｓｓ）プロシージャの要求を受信した場合、進行中のプロシージャを継続すべきなのか、または新しいプロシージャから開始すべきなのかは、ＵＥ実装形態次第である（ブロック８７８）。
【００９２】
測定ギャップが構成された場合、ランダムアクセス（Ｒａｎｄｏｍ  Ａｃｃｅｓｓ）プロシージャが進行中のとき、ＵＥは、第１２の提案される手法に関して上記で説明されたように、測定ギャップを使用しない（ブロック８８０）。
【００９３】
ＨＡＲＱ動作８８１に関して、ＤＬ−ＳＣＨ上で受信されたトランスポートブロック（ＴＢ）に関連するＨＡＲＱ情報によって示されるＨＡＲＱプロセス識別子を処理し、受信動作のために、その受信されたデータを対応するＨＡＲＱプロセスに向ける、ＵＥにおいて１つのＨＡＲＱエンティティがある（ブロック８８２）。ＨＡＲＱエンティティをサポートするために、いくつかの並列ＨＡＲＱプロセスがＵＥにおいて使用される。（ＨＡＲＱプロセスの数はＦＦＳである。）
ダウンリンク割当てが、このＴＴＩに関して示されたかまたは構成された場合（ブロック８８４）、ＵＥは、受信されたＴＢを、関連するＨＡＲＱ情報によって示されるＨＡＲＱプロセスにアロケートする（ブロック８８６）。ダウンリンク割当てが、ブロードキャストＨＡＲＱプロセスに関して示された場合（ブロック８８８）、ＵＥは、受信されたＴＢをブロードキャストＨＡＲＱプロセスにアロケートする（ブロック８９０）。
【００９４】
構成されたダウンリンク割当てが、測定ギャップ中に発生するＤＬ−ＳＣＨ送信を示すとき（ブロック８９２）、ＵＥは、上記の第４の提案される手法に従って、データを受信せず、対応する肯定応答または否定応答を示さない（ブロック８９４）。ＢＣＣＨの場合、専用ブロードキャストＨＡＲＱプロセスが使用され得ることが留意されるべきである（ブロック８９６）。
【００９５】
８９８において示される少なくともＦＤＤによるＵＬ−ＳＣＨデータ転送に関して、ＵＬ許可受信は、以下を伴うことができる。ＵＥがＣ−ＲＮＴＩ（ブロック９００）、半永続的スケジューリング（ＳＰＳ）Ｃ−ＲＮＴＩ、または一時的Ｃ−ＲＮＴＩを有するとき、ＵＥは各ＴＴＩに関して以下を行うことができる：  
このＴＴＩに関するアップリンク許可が、ＵＥのＣ−ＲＮＴＩまたは一時的Ｃ−ＲＮＴＩのためのＰＤＣＣＨ上で受信された場合（ブロック９０２）；あるいは、  
このＴＴＩに関するアップリンク許可が、ランダムアクセス応答において受信された場合（ブロック９０４）：  
有効なアップリンク許可と関連するＨＡＲＱ情報とを、このＴＴＩに関するＨＡＲＱエンティティに示す（ブロック９０６）。  
そうではなく、このＴＴＩに関するアップリンク許可が構成された場合（ブロック９０８）：  
新しい送信に対して有効なアップリンク許可と、関連するＨＡＲＱ情報とを、このＴＴＩに関するＨＡＲＱエンティティに示す（ブロック９１０）。  
構成されたアップリンク許可の期間がＴＴＩにおいて表されることが留意されるべきである。ＵＥが、ＵＥのＲＡ−ＲＮＴＩのための許可とＵＥのＣ−ＲＮＴＩのための許可との両方を受信した場合、ＵＥは、ＵＥのＲＡ−ＲＮＴＩのための許可またはＵＥのＣ−ＲＮＴＩのための許可のいずれかを継続することを選択することができることがさらに留意されるべきである（ブロック９１２）。
【００９６】
ＵＥにおけるＨＡＲＱエンティティに関して、ＨＡＲＱエンティティをサポートするために、いくつかの並列ＨＡＲＱプロセスがＵＥにおいて使用され、前の送信の成功または不成功の受信に関するフィードバックを待ちながら、送信が連続的に起こることを可能にする（ブロック９１４）。所与のＴＴＩにおいて、アップリンク許可がそのＴＴＩに関して示された場合、ＨＡＲＱエンティティは、送信が起こるべきＨＡＲＱプロセスを識別する（ブロック９１６）。ＨＡＲＱエンティティはまた、物理レイヤによって中継される、受信機フィードバック（ＡＣＫ／ＮＡＣＫ情報）、ＭＣＳおよびリソースを適切なＨＡＲＱプロセスにルーティングする（ブロック９１８）。ＴＴＩバンドリングが構成された場合、パラメータＴＴＩ＿ＢＵＮＤＬＥ＿ＳＩＺＥがＴＴＩバンドルのＴＴＩの数を与える（ブロック９２０）。送信がそのＴＴＩに関して示された場合、ＨＡＲＱエンティティは、送信が起こるべきＨＡＲＱプロセスを識別する（ブロック９２２）。その後、次のＴＴＩ＿ＢＵＮＤＬＥ＿ＳＩＺＥアップリンクＴＴＩが、識別されたＨＡＲＱプロセスの送信のために使用される（ブロック９２４）。バンドル内のＨＡＲＱ再送信は、ＴＴＩ＿ＢＵＮＤＬＥ＿ＳＩＺＥに従って、前の送信からのフィードバック待つことなしに実行される。ＵＥは、バンドルの最後の送信に関してのみフィードバックを予想する（ブロック９２６）。バンドルの最後のＴＴＩが測定のために送信されないとき、ＵＥは、提案される手法９および１０において上記で与えられたように、このバンドルに関するフィードバックをＨＡＲＱ  ＡＣＫであるものと見なす（ブロック９２８）。
【００９７】
ＴＴＩバンドリングは、ランダムアクセス中に、Ｃ−ＲＮＴＩ  ＭＡＣ制御要素を含んでいるアップリンクメッセージ、または共通制御チャネル（Ｃｏｍｍｏｎ  Ｃｏｎｔｒｏｌ  Ｃｈａｎｎｅｌ：ＣＣＣＨ）サービスデータユニット（Ｓｅｒｖｉｃｅ  Ｄａｔａ  Ｕｎｉｔ：ＳＤＵ）を含むアップリンクメッセージの送信には適用しない（ブロック９３０）。ＨＡＲＱプロセスの数が｛Ｘ｝｛ＦＦＳ｝に等しいと考える。各プロセスは、０から｛Ｘ−１｝までの数に関連付けられる。所与のＴＴＩにおいて、ＨＡＲＱエンティティは以下を行うことができる：  
このＨＡＲＱプロセスの前の送信における値と比較してＮＤＩが増分されたことを示すアップリンク許可が、このＴＴＩに関して示された場合、または、これが、このＨＡＲＱプロセスのための一番最初の送信である（すなわち、このＨＡＲＱプロセスのための新しい送信が起こる）場合：  
進行中のランダムアクセス（Ｒａｎｄｏｍ  Ａｃｃｅｓｓ）プロシージャがあり、｛Ｍｅｓｓａｇｅ３｝バッファ中にＭＡＣ  ＰＤＵがある場合：  
送信すべきＭＡＣ  ＰＤＵを｛Ｍｅｓｓａｇｅ３｝バッファから得る。  
そうではなく、「アップリンク優先順位付け」エンティティが、新しい送信の必要を示した場合：  
送信すべきＭＡＣ  ＰＤＵを「多重化およびアセンブリ」エンティティから得る；  
このＴＴＩに対応するＨＡＲＱプロセスに、識別されたパラメータを使用して新しい送信をトリガするように命令する。  
そうでなければ：  
ＨＡＲＱバッファをフラッシングする。  
そうではなく、このＨＡＲＱプロセスの前の送信における値と比較してＮＤＩが同じである（すなわち、このＨＡＲＱプロセスのための再送信が起こる）ことを示すアップリンク許可が、このＴＴＩに関して示された場合：  
ＨＡＲＱプロセスに適応型再送信を生成するように命令する。  
そうではなく、このＴＴＩに対応するＨＡＲＱプロセスのＨＡＲＱバッファが空でない場合：  
ＨＡＲＱプロセスに非適応型再送信を生成するように命令する。  
ＨＡＲＱエンティティによってトリガされる再送信は、それが測定ギャップと衝突する場合、または非適応型再送信が許可されていない場合、対応するＨＡＲＱプロセスによってキャンセルされるべきであることが留意されるべきである。
【００９８】
各ＨＡＲＱプロセスは、ＨＡＲＱバッファに関連付けられる。各ＨＡＲＱプロセスは、現在バッファ中にあるＭＡＣパケットデータユニット（ＰＤＵ）のために起こった送信の数を示す、状態変数ＣＵＲＲＥＮＴ＿ＴＸ＿ＮＢを維持する。ＨＡＲＱプロセスが確立されると、ＣＵＲＲＥＮＴ＿ＴＸ＿ＮＢは０に初期化され得る。冗長性バージョンのシーケンスは、０、２、３、１であるものと定義され得る。変数ＣＵＲＲＥＮＴ＿ＩＲＶは、定義されたセットにおいて冗長性バージョンにポインタを与える。この変数は、更新されたモジュロ４である。新しい送信および適応型再送信は、ＰＤＣＣＨ上で示されるリソース上でおよびＭＣＳとともに実行されるが、非適応型再送信は、最後に行われた送信試行のために使用されたのと同じリソース上で、および同じＭＣＳとともに実行され、ＵＥは、ＨＡＲＱ送信の最大数とＭｅｓｓａｇｅ３  ＨＡＲＱ送信の最大数とを用いてＲＲＣによって構成される。｛Ｍｅｓｓａｇｅ３｝バッファに記憶されたＭＡＣ  ＰＤＵの送信を除いては、すべてのＨＡＲＱプロセスおよびすべての論理チャネル上の送信に対して、送信の最大数は、ＨＡＲＱ送信の最大数に設定される。｛Ｍｅｓｓａｇｅ３｝バッファに記憶されたＭＡＣ  ＰＤＵの送信に対して、送信の最大数は、Ｍｅｓｓａｇｅ３  ＨＡＲＱ送信の最大数に設定される。
【００９９】
ＨＡＲＱエンティティが新しい送信を要求した場合、ＨＡＲＱプロセスは以下を行う：  
ＣＵＲＲＥＮＴ＿ＴＸ＿ＮＢを０に設定する；  
ＣＵＲＲＥＮＴ＿ＩＲＶを０に設定する；  
ＭＡＣ  ＰＤＵを関連するＨＡＲＱバッファに記憶する；  
送信時に測定ギャップがない場合：（提案される手法５および８）  
以下で説明されるように送信を生成する。  
そうでなければ：  
送信を生成せず、この送信に関するフィードバックをＨＡＲＱ  ＮＡＫであるものと見なす。（提案される手法５および８）
【０１００】
ＨＡＲＱエンティティが再送信を要求した場合、ＨＡＲＱプロセスは以下を行う：  
ＣＵＲＲＥＮＴ＿ＴＸ＿ＮＢを１だけ増分する；  
再送信時に測定ギャップがない場合：  
適応型再送信の場合：  
ＣＵＲＲＥＮＴ＿ＩＲＶを、ＰＤＣＣＨ上で示される冗長性バージョンに対応する値に設定する；  
以下で説明されるように送信を生成する。  
非適応型再送信の場合：  
このＨＡＲＱプロセスに関する最後のフィードバックがＨＡＲＱ  ＮＡＣＫである場合：  
以下で説明されるように送信を生成する。  
ＨＡＲＱ  ＡＣＫを単独で受信したとき、ＵＥは、そのデータをＨＡＲＱバッファ中に保つことが留意されるべきである。
【０１０１】
送信を生成するために、ＨＡＲＱプロセスは以下を行う：  
ＣＵＲＲＥＮＴ＿ＩＲＶ値に対応する冗長性バージョンと送信タイミングとを用いて送信を生成するように物理レイヤに命令する；  
ＣＵＲＲＥＮＴ＿ＩＲＶを１だけ増分する；  
この送信に関するフィードバック時に測定ギャップがない場合、測定ギャップと一致するフィードバックをＨＡＲＱ  ＡＣＫであるものと見なす。
【０１０２】
ＨＡＲＱプロセスは以下を行う：  
ＣＵＲＲＥＮＴ＿ＴＸ＿ＮＢ＝送信の最大数である場合：  
ＨＡＲＱバッファをフラッシングする；  
その送信がＣＣＣＨの送信に対応する場合；および  
受信された最後のフィードバック（すなわち、このプロセスの最後の送信に関して受信されたフィードバック）がＨＡＲＱ  ＮＡＣＫである場合：  
対応するＭＡＣ  ＳＤＵの送信が失敗したことをＲＲＣに通知する。  
ＨＡＲＱプロセスは以下を行うことができる：  
ＣＵＲＲＥＮＴ＿ＴＸ＿ＮＢ＝構成された送信の最大数である場合；および、  
受信された最後のフィードバック（すなわち、このプロセスの最後の送信に関して受信されたフィードバック）がＨＡＲＱ  ＮＡＣＫである場合：  
対応するＲＬＣ  ＰＤＵの送信が失敗したことを上位レイヤにおける関係するＡＲＱエンティティに通知する。
【０１０３】
図７を参照すると、測定ギャップを処理することを可能にするシステム１０００が示されている。たとえば、システム１０００は、少なくとも部分的にユーザ機器（ＵＥ）内に常駐することができる。システム１０００は、プロセッサ、ソフトウェア、またはそれらの組合せ（たとえば、ファームウェア）によって実装される機能を表す機能ブロックであり得る、機能ブロックを含むものとして表されていることが諒解されるべきである。システム１０００は、連携して動作することができる電気コンポーネントの論理グルーピング１００２を含む。たとえば、論理グルーピング１００２は、ソースキャリア周波数からターゲットキャリア周波数に同調するために測定ギャップのためのダウンリンク上の無線リソース制御（ＲＲＣ）割当てを受信するための電気コンポーネント１００４を含むことができる。その上、論理グルーピング１００２は、測定ギャップに適合するためにスケジューリング競合を判断するための電気コンポーネント１００６を含むことができる。さらに、論理グルーピング１００２は、スケジューリング競合についてあらかじめ定義されたプロトコルに従って媒体アクセス制御（ＭＡＣ）プロセスを実行するための電気コンポーネント１００８を含むことができる。さらに、システム１０００は、電気コンポーネント１００４、１００６、１００８に関連する機能を実行するための命令を保持するメモリ１０１２を含むことができる。メモリ１０１２の外部にあるものとして示されているが、電気コンポーネント１００４、１００６および１００８の１つまたは複数は、メモリ１０１２の内部に存在することができることが理解されるべきである
図８を参照すると、測定ギャップの使用を割り当て、可能にすることを可能にするシステム１１００が示されている。たとえば、システム１１００は、少なくとも部分的に基地局内に常駐することができる。システム１１００は、プロセッサ、ソフトウェア、またはそれらの組合せ（たとえば、ファームウェア）によって実装される機能を表す機能ブロックであり得る、機能ブロックを含むものとして表されていることが諒解されるべきである。システム１１００は、連携して動作することができる電気コンポーネントの論理グルーピング１１０２を含む。たとえば、論理グルーピング１１０２は、ソースキャリア周波数からターゲットキャリア周波数に同調するために測定ギャップのためのダウンリンク上の無線リソース制御（ＲＲＣ）割当てを送信するための電気コンポーネント１１０４を含むことができる。さらに、論理グルーピング１１０２は、測定ギャップに適合するためにスケジューリング競合を判断することと、スケジューリング競合についてあらかじめ定義されたプロトコルに従って媒体アクセス制御（ＭＡＣ）プロセスを実行することとをユーザ機器が行うことを可能にするための電気コンポーネント１１０６を含むことができる。さらに、システム１１００は、電気コンポーネント１１０４および１１０６に関連する機能を実行するための命令を保持するメモリ１１１２を含むことができる。メモリ１１１２の外部にあるものとして示されているが、電気コンポーネント１１０４および１１０６の１つまたは複数は、メモリ１１１２の内部に存在することができることが理解されるべきである。
【０１０４】
図９を参照すると、測定ギャップを処理することを可能にするシステム１２００が示されている。たとえば、システム１２００は、少なくとも部分的にユーザ機器（ＵＥ）内に常駐することができる。システム１２００は、プロセッサ、ソフトウェア、またはそれらの組合せ（たとえば、ファームウェア）によって実装される機能を表す機能ブロックであり得る、機能ブロックを含むものとして表されていることが諒解されるべきである。システム１２００は、ソースキャリア周波数からターゲットキャリア周波数に同調するために測定ギャップのためのダウンリンク上の無線リソース制御（ＲＲＣ）割当てを受信するための手段１２０４を有する装置１２０２を含む。その上、装置１２０２は、測定ギャップに適合するためにスケジューリング競合を判断するための手段１２０６を含むことができる。さらに、装置１００２は、スケジューリング競合についてあらかじめ定義されたプロトコルに従って媒体アクセス制御（ＭＡＣ）プロセスを実行するための手段１２０８を含むことができる。
【０１０５】
図１０を参照すると、測定ギャップの使用を割り当て、可能にすることを可能にするシステム１３００が示されている。たとえば、システム１３００は、少なくとも部分的に基地局内に常駐することができる。システム１３００は、プロセッサ、ソフトウェア、またはそれらの組合せ（たとえば、ファームウェア）によって実装される機能を表す機能ブロックであり得る、機能ブロックを含むものとして表されていることが諒解されるべきである。システム１３００は、ソースキャリア周波数からターゲットキャリア周波数に同調するために測定ギャップのためのダウンリンク上の無線リソース制御（ＲＲＣ）割当てを送信するための手段１３０４を有する装置１３０２を含む。さらに、装置１３０２は、測定ギャップに適合するためにスケジューリング競合を判断することと、スケジューリング競合についてあらかじめ定義されたプロトコルに従って媒体アクセス制御（ＭＡＣ）プロセスを実行することと、をユーザ機器が行うことを可能にするための手段１３０６を有することができる。
【０１０６】
以上の説明は、様々な態様の例を含む。もちろん、様々な態様について説明する目的で、コンポーネントまたは方法のあらゆる考えられる組合せについて説明することは不可能であるが、多数のさらなる組合せおよび置換が可能であることを、当業者なら認識できよう。したがって、本明細書は、添付の特許請求の範囲の趣旨および範囲内に入るすべてのそのような改変形態、変更形態、および変形形態を包含することが意図される。
【０１０７】
特に、上記のコンポーネント、デバイス、回路、システムなどによって実行される様々な機能に関して、そのようなコンポーネントを説明するために用いられた用語（「手段（means）」への参照を含む）は、特に指示のない限り、開示された構造に構造的に均等ではないが、本明細書で示された例示的な態様における機能を実行する、説明されたコンポーネントの特定の機能（たとえば、機能上の均等物）を実行する任意のコンポーネントに対応することが意図される。この点について、様々な態様は、システム、ならびに様々な方法の行為および／またはイベントを実行するためのコンピュータ実行可能命令を有するコンピュータ可読媒体を含むことも認識されよう。
【０１０８】
さらに、特定の特徴がいくつかの実装形態のうちの１つに関してのみ開示されていることがあるが、所与または特定の適用例にとって所望され、有利であり得るように、そのような特徴は他の実装形態の１つまたは複数の他の特徴と組み合わせられ得る。「含む（include）」および「含む（including）」という用語およびそれらの変形が、発明を実施するための形態または特許請求の範囲のいずれかで使用される限り、これらの用語は、「備える（comprising）」という用語と同様に包括的なものであることが意図される。さらに、発明を実施するための形態または特許請求の範囲のいずれかで使用される「または（or）」という用語は、「非排他的なまたは（non-exclusive or）」であることが意味される。
【０１０９】
さらに、諒解されるように、開示されたシステムおよび方法の様々な部分は、人工知能、機械学習、または知識ベースもしくはルールベースのコンポーネント、下位コンポーネント、プロセス、手段、方法、または機構（たとえば、サポートベクターマシン、ニューラルネットワーク、エキスパートシステム、ベイズの信念ネットワーク、ファジー論理、データ融合エンジン、クラシファイヤ．．．）を含むか、またはそれらからなり得る。そのようなコンポーネントは、特に、システムおよび方法の部分をより適応的ならびに効率的で知的にするために、それによって実行されるいくつかの機構またはプロセスを自動化することができる。限定ではなく例として、進化型ＲＡＮ（たとえば、アクセスポイント、ｅＮｏｄｅ  Ｂ）は、ロバストなまたは増強された検査フィールドが採用されたとき、推測または予測することができる。
【０１１０】
本出願で使用される「コンポーネント」、「モジュール」、「システム」などの用語は、ハードウェア、ハードウェアとソフトウェアの組合せ、ソフトウェア、または実行中のソフトウェアなど、コンピュータ関連のエンティティを指すことが意図される。たとえば、コンポーネントは、プロセッサ上で実行されるプロセス、プロセッサ、オブジェクト、実行可能ファイル、実行スレッド、プログラム、および／またはコンピュータであり得るが、これらに限定されない。例として、サーバ上で動作するアプリケーションと、そのサーバの両方がコンポーネントであり得る。１つまたは複数のコンポーネントがプロセスおよび／または実行スレッド内に常駐することができ、１つのコンポーネントは１つのコンピュータ上に配置され、および／または２つ以上のコンピュータ間に分散され得る。
【０１１１】
「例示的」という単語は、本明細書では、例、事例、または例示の働きをすることを意味するために使用される。「例示的」として本明細書で説明されるいかなる態様または設計も、必ずしも他の態様または設計よりも好ましいまたは有利なものと解釈されるべきではない。
【０１１２】
さらに、標準的なプログラミングおよび／またはエンジニアリング技法を使用して、開示される態様を実装するようにコンピュータを制御するためのソフトウェア、ファームウェア、ハードウェア、またはそれらの任意の組合せを生成する方法、装置、または製造品として１つまたは複数のバージョンが実装され得る。本明細書で使用される「製造品」（または代替的に「コンピュータプログラム製品」）という用語は、任意のコンピュータ可読デバイス、キャリア、または媒体からアクセス可能なコンピュータプログラムを包含することが意図される。たとえば、コンピュータ可読媒体は、磁気記憶デバイス（たとえば、ハードディスク、フロッピー（登録商標）ディスク、磁気ストリップ．．．）、光ディスク（たとえば、コンパクトディスク（ＣＤ）、デジタル多用途ディスク（ＤＶＤ）．．．）、スマートカード、およびフラッシュメモリデバイス（たとえば、カード、スティック）を含むことができるが、これらに限定されない。さらに、コンピュータ可読電子データを搬送するために、電子メールを送信および受信する際またはインターネットもしくはローカルエリアネットワーク（ＬＡＮ）などのネットワークにアクセスする際に使用される搬送波などの搬送波が使用され得ることが諒解されるべきである。もちろん、開示される態様の範囲から逸脱することなく、この構成に対して多数の改変が行われ得ることを当業者ならば認識するであろう。
【０１１３】
様々な態様が、いくつかのコンポーネント、モジュールなどを含み得るシステムに関して提示される。様々なシステムは、追加のコンポーネント、モジュールなどを含んでもよく、および／または各図に関連して論じられるコンポーネント、モジュールなどのすべてを含まなくてもよいことが理解および諒解されるべきである。これらの手法の組合せも使用され得る。本明細書で開示される様々な態様は、タッチスクリーンディスプレイ技術および／またはマウスおよびキーボードタイプインターフェースを利用するデバイスを含む、電気デバイス上で実行され得る。そのようなデバイスの例は、コンピュータ（デスクトップおよびモバイル）、スマートフォン、携帯情報端末（ＰＤＡ）、およびワイヤードとワイヤレスの両方の他の電子デバイスを含む。
【０１１４】
上記で説明された例示的なシステムに鑑みて、開示された主題に従って実装され得る方法が、いくつかの流れ図を参照しながら説明された。説明を簡単にするために、方法が一連のブロックとして図示および説明されたが、いくつかのブロックは本明細書で図示および説明されたブロックとは異なる順序で、および／または他のブロックと同時に、起こることがあるので、請求される主題はブロックの順序によって限定されないことが理解および諒解されるべきである。さらに、本明細書で説明される方法を実装するために、図示されたすべてのブロックが必要とされるわけではないことがある。さらに、本明細書で開示された方法は、そのような方法をコンピュータに移送および転送することを可能にするために製造品に記憶されることが可能であることがさらに諒解されるべきである。本明細書で使用される製造品という用語は、任意のコンピュータ可読デバイス、キャリア、または媒体からアクセス可能なコンピュータプログラムを包含することが意図される。
【０１１５】
全体的または部分的に、参照により本明細書に組み込まれると言われる任意の特許、公報、または他の開示資料は、その組み込まれる資料が本開示で説明された既存の定義、記述、または他の開示資料と競合しない限り、本明細書に組み込まれることが諒解されるべきである。したがって、必要な限り、本明細書で明示的に説明された開示は、参照により本明細書に組み込まれる任意の競合する資料に取って代わる。参照により本明細書に組み込まれると言われるが、本明細書で説明された既存の定義、記述、または他の開示資料と競合する、いかなる資料またはその部分も、その組み込まれる資料と既存の開示資料との間に競合が生じない限り、組み込まれる。
【図１】
2014195276.tif 000003
【図２Ａ】
2014195276.tif 000004
【図２Ｂ】
2014195276.tif 000005
【図２Ｃ】
2014195276.tif 000006
【図３】
2014195276.tif 000007
【図４】
2014195276.tif 000008
【図５】
2014195276.tif 000009
【図６Ａ】
2014195276.tif 000010
【図６Ｂ】
2014195276.tif 000011
【図６Ｃ】
2014195276.tif 000012
【図６Ｄ】
2014195276.tif 000013
【図６Ｅ】
2014195276.tif 000014
【図６Ｆ】
2014195276.tif 000015
【図６Ｇ】
2014195276.tif 000016
【図７】
2014195276.tif 000017
【図８】
2014195276.tif 000018
【図９】
2014195276.tif 000019
【図１０】
2014195276.tif 000020
【手続補正書】
【提出日】平成26年6月5日(2014.6.5)
【手続補正１】
【補正対象書類名】特許請求の範囲
【補正対象項目名】全文
【補正方法】変更
【補正の内容】
【特許請求の範囲】
【請求項１】
測定ギャップを処理するための方法であって、
ソースキャリア周波数からターゲットキャリア周波数に同調するために測定ギャップのためのダウンリンク上の無線リソース制御（ＲＲＣ）割当てを受信することと、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することと
を備える方法。
【請求項２】
前記スケジューリング競合は、前記測定ギャップと衝突する前記ＴＴＩバンドルの終了から起こり、
前記測定ギャップと重複しない前記ＴＴＩバンドルの前記部分は、前記ＴＴＩバンドルの開始部分であり、
前記測定ギャップと重複する前記ＴＴＩバンドルの前記衝突部分は、前記ＴＴＩバンドルの衝突終了部分であり、
前記ＭＡＣプロセスは、
ＡＣＫ／ＮＡＫが受信された場合は、前記バンドルの最後の意図されたＴＴＩに関するＡＣＫ／ＮＡＫフィードバックを使用することと、
前記ＴＴＩバンドルの前記最後の意図されたＴＴＩに関するＡＣＫ／ＮＡＫが前記測定ギャップと衝突した場合は、このバンドルを肯定応答されたと見なすことと、
をさらに備える、請求項１に記載の方法。
【請求項３】
前記スケジューリング競合は、前記測定ギャップと衝突する前記ＴＴＩバンドルの開始から起こり、
前記測定ギャップと重複しない前記ＴＴＩバンドルの前記部分は、前記ＴＴＩバンドルの終了部分であり、
前記測定ギャップと重複する前記ＴＴＩバンドルの前記衝突部分は、前記ＴＴＩバンドルの衝突開始部分であり、
前記ＭＡＣプロセスは、前記バンドルの最後の意図されたＴＴＩに関して受信されたＡＣＫ／ＮＡＫフィードバックに従って挙動することをさらに備える、請求項１に記載の方法。
【請求項４】
前記スケジューリング競合は、前記測定ギャップと衝突する前記ＴＴＩバンドル全体から起こり、
前記測定ギャップと重複する前記ＴＴＩバンドルの前記衝突部分は、前記ＴＴＩバンドル全体であり、
前記ＭＡＣプロセスは、前記ＴＴＩバンドルに関して否定応答されたと見なすことをさらに備える、請求項１に記載の方法。
【請求項５】
測定ギャップを処理するための少なくとも１つのプロセッサであって、
ソースキャリア周波数からターゲットキャリア周波数に同調するために測定ギャップのためのダウンリンク上の無線リソース制御（ＲＲＣ）割当てを受信するための第１のモジュールと、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断するための第２のモジュールと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行するための第３のモジュールと、
を備えるプロセッサ。
【請求項６】
測定ギャップを処理するためのコンピュータプログラムであって、
ソースキャリア周波数からターゲットキャリア周波数に同調するために測定ギャップのためのダウンリンク上の無線リソース制御（ＲＲＣ）割当てを受信することをコンピュータに行わせるためのコードの第１のセットと、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することを前記コンピュータに行わせるためのコードの第２のセットと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することを前記コンピュータに行わせるためのコードの第３のセットと、
を備えるコンピュータプログラム。
【請求項７】
測定ギャップを処理するための装置であって、
ソースキャリア周波数からターゲットキャリア周波数に同調するために測定ギャップのためのダウンリンク上の無線リソース制御（ＲＲＣ）割当てを受信するための手段と、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断するための手段と、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行するための手段と、
を備える装置。
【請求項８】
測定ギャップを処理するための装置であって、
ソースキャリア周波数からターゲットキャリア周波数に同調するために測定ギャップのためのダウンリンク上の無線リソース制御（ＲＲＣ）割当てを受信するための受信機と、
送信機と、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断し、
前記測定ギャップと重複しない前記ＴＴＩバンドルの部分を送信し、前記衝突している部分をキャンセルすることによって、前記スケジューリング競合についてあらかじめ定義されたプロトコルに従って前記送信機および前記受信機を介して媒体アクセス制御（ＭＡＣ）プロセスを実行するためのコンピューティングプラットフォームと、
を備える装置。
【請求項９】
前記スケジューリング競合は、前記測定ギャップと衝突する前記ＴＴＩバンドルの終了から起こり、
前記測定ギャップと重複しない前記ＴＴＩバンドルの前記部分は、前記ＴＴＩバンドルの開始部分であり、
前記測定ギャップと重複する前記ＴＴＩバンドルの前記衝突部分は、前記ＴＴＩバンドルの衝突終了部分であり、
前記ＭＡＣプロセスは、ＡＣＫ／ＮＡＫが受信された場合は、前記バンドルの最後の意図されたＴＴＩに関するＡＣＫ／ＮＡＫフィードバックを使用することと、前記ＴＴＩバンドルの前記最後の意図されたＴＴＩに関するＡＣＫ／ＮＡＫが前記測定ギャップと衝突した場合は、このバンドルを肯定応答されたと見なすことと、をさらに備える、請求項８に記載の装置。
【請求項１０】
前記スケジューリング競合は、前記測定ギャップと衝突する前記ＴＴＩバンドルの開始から起こり、
前記測定ギャップと重複しない前記ＴＴＩバンドルの前記部分は、前記ＴＴＩバンドルの終了部分であり、
前記測定ギャップと重複する前記ＴＴＩバンドルの前記衝突部分は、前記ＴＴＩバンドルの衝突開始部分であり、
前記ＭＡＣプロセスは、前記バンドルの最後の意図されたＴＴＩに関して受信されたＡＣＫ／ＮＡＫフィードバックに従って挙動することをさらに備える、請求項８に記載の装置。
【請求項１１】
前記スケジューリング競合は、前記測定ギャップと衝突する前記ＴＴＩバンドル全体から起こり、
前記測定ギャップと重複する前記ＴＴＩバンドルの前記衝突部分は、前記ＴＴＩバンドル全体であり、
前記ＭＡＣプロセスは、前記ＴＴＩバンドルに関して否定応答されたと見なすことをさらに備える、請求項８に記載の装置。
【請求項１２】
測定ギャップを割り当てるための方法であって、
ソースキャリア周波数からターゲットキャリア周波数に同調するために測定ギャップのためのダウンリンク上の無線リソース制御（ＲＲＣ）割当てを送信することと、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することと、
をユーザ機器が行うことを可能にすることと、
を備える方法。
【請求項１３】
前記スケジューリング競合は、前記測定ギャップと衝突する前記ＴＴＩバンドルの終了から起こり、
前記測定ギャップと重複しない前記ＴＴＩバンドルの前記部分は、前記ＴＴＩバンドルの開始部分であり、
前記測定ギャップと重複する前記ＴＴＩバンドルの前記衝突部分は、前記ＴＴＩバンドルの衝突終了部分であり、
前記ＭＡＣプロセスは、ＡＣＫ／ＮＡＫが受信された場合は、前記バンドルの最後の意図されたＴＴＩに関するＡＣＫ／ＮＡＫフィードバックを使用することと、前記ＴＴＩバンドルの前記最後の意図されたＴＴＩに関するＡＣＫ／ＮＡＫが前記測定ギャップと衝突した場合は、このバンドルを肯定応答されたと見なすことと、をさらに備える、請求項１２に記載の方法。
【請求項１４】
前記スケジューリング競合は、前記測定ギャップと衝突する前記ＴＴＩバンドルの開始から起こり、
前記測定ギャップと重複しない前記ＴＴＩバンドルの前記部分は、前記ＴＴＩバンドルの終了部分であり、
前記測定ギャップと重複する前記ＴＴＩバンドルの前記衝突部分は、前記ＴＴＩバンドルの衝突開始部分であり、
前記ＭＡＣプロセスは、前記バンドルの最後の意図されたＴＴＩに関して受信されたＡＣＫ／ＮＡＫフィードバックに従って挙動することをさらに備える、請求項１２に記載の方法。
【請求項１５】
前記スケジューリング競合は、前記測定ギャップと衝突する前記ＴＴＩバンドル全体から起こり、
前記測定ギャップと重複する前記ＴＴＩバンドルの前記衝突部分は、前記ＴＴＩバンドル全体であり、
前記ＭＡＣプロセスは、前記ＴＴＩバンドルに関して否定応答されたと見なすことをさらに備える、請求項１２に記載の方法。
【請求項１６】
測定ギャップを割り当てるための少なくとも１つのプロセッサであって、
ソースキャリア周波数からターゲットキャリア周波数に同調するために測定ギャップのためのダウンリンク上の無線リソース制御（ＲＲＣ）割当てを送信するための第１のモジュールと、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することと、
をユーザ機器が行うことを可能にするための第２のモジュールと、
を備えるプロセッサ。
【請求項１７】
測定ギャップを割り当てるためのコンピュータプログラムであって、
ソースキャリア周波数からターゲットキャリア周波数に同調するために測定ギャップのためのダウンリンク上の無線リソース制御（ＲＲＣ）割当てを送信することをコンピュータに行わせるためのコードの第１のセットと、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することと、
をユーザ機器が行うことを可能にすることを前記コンピュータに行わせるためのコードの第２のセットと、
を備えるコンピュータプログラム。
【請求項１８】
測定ギャップを割り当てるための装置であって、
ソースキャリア周波数からターゲットキャリア周波数に同調するために測定ギャップのためのダウンリンク上の無線リソース制御（ＲＲＣ）割当てを送信するための手段と、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することと、
をユーザ機器が行うことを可能にするための手段と、
を備える装置。
【請求項１９】
測定ギャップを割り当てるための装置であって、
ソースキャリア周波数からターゲットキャリア周波数に同調するために測定ギャップのためのダウンリンク上の無線リソース制御（ＲＲＣ）割当てを送信するための送信機と、
受信機と、
前記測定ギャップと衝突する送信時間間隔（ＴＴＩ）バンドルの開始部分、前記測定ギャップと衝突するＴＴＩバンドルの終了部分、または前記測定ギャップと衝突するＴＴＩバンドル全体、から起こるスケジューリング競合を判断することと、
前記測定ギャップと重複しない前記ＴＴＩバンドルの部分を送信し、前記衝突している部分をキャンセルすることによって、前記スケジューリング競合についてあらかじめ定義されたプロトコルに従って媒体アクセス制御（ＭＡＣ）プロセスを実行することと、
を前記送信機および前記受信機を介してユーザ機器が行うことを可能にするコンピューティングプラットフォームと、
を備える装置。
【請求項２０】
前記スケジューリング競合は、前記測定ギャップと衝突する前記ＴＴＩバンドルの終了から起こり、
前記測定ギャップと重複しない前記ＴＴＩバンドルの前記部分は、前記ＴＴＩバンドルの開始部分であり、
前記測定ギャップと重複する前記ＴＴＩバンドルの前記衝突部分は、前記ＴＴＩバンドルの衝突終了部分であり、
前記ＭＡＣプロセスは、ＡＣＫ／ＮＡＫが受信された場合は、前記バンドルの最後の意図されたＴＴＩに関するＡＣＫ／ＮＡＫフィードバックを使用することと、前記ＴＴＩバンドルの前記最後の意図されたＴＴＩに関するＡＣＫ／ＮＡＫが前記測定ギャップと衝突した場合は、このバンドルを肯定応答されたと見なすこととをさらに備える、請求項１９に記載の装置。
【請求項２１】
前記スケジューリング競合は、前記測定ギャップと衝突する前記ＴＴＩバンドルの開始から起こり、
前記測定ギャップと重複しない前記ＴＴＩバンドルの前記部分は、前記ＴＴＩバンドルの終了部分であり、
前記測定ギャップと重複する前記ＴＴＩバンドルの前記衝突部分は、前記ＴＴＩバンドルの衝突開始部分であり、
前記ＭＡＣプロセスは、前記バンドルの最後の意図されたＴＴＩに関して受信されたＡＣＫ／ＮＡＫフィードバックに従って挙動することをさらに備える、請求項１９に記載の装置。
【請求項２２】
前記スケジューリング競合は、前記測定ギャップと衝突する前記ＴＴＩバンドルから起こり、
前記測定ギャップと重複する前記ＴＴＩバンドルの前記衝突部分は、前記ＴＴＩバンドル全体であり、
前記ＭＡＣプロセスは、前記ＴＴＩバンドルに関して否定応答されたと見なすことをさらに備える、請求項１９に記載の装置。
【手続補正２】
【補正対象書類名】明細書
【補正対象項目名】００２３
【補正方法】変更
【補正の内容】
【００２３】
ワイヤレス通信システムには、あらかじめ決定された測定ギャップ（ＵＥが送信においてあらかじめ決定された測定を実行する時間的部分）があり、ＵＥは、あらかじめ定義された測定ギャップを実行する。そのワイヤレスシステムに応じて、ギャップの周波数が変化する。しかしながら、ランダムアクセスチャネル（ＲＡＣＨ）処理、ＨＡＲＱ方式を使用した処理またはバンドル送信時間間隔（ＴＴＩ）（たとえば、所与の時間における４つのＴＴＩ）中の送信など、動的であるいくつかの他の機能が、既知のギャップと衝突することがある。
【手続補正３】
【補正対象書類名】明細書
【補正対象項目名】００２５
【補正方法】変更
【補正の内容】
【００２５】
必要とされる処理のタイプ（ダウンリンク共有チャネル（ＤＬ−ＳＣＨ）、アップリンク共有チャネル（ＵＬ−ＳＣＨ）、ＴＴＩバンドリング、ＲＡＣＨまたはサービス要求（ＳＲ）。添付文書を参照）に応じて、ＵＥは、要求を記憶し、ギャップ中に測定を処理することができ、またはギャップがなかったかのようにギャップ測定を無視することができる。
【手続補正４】
【補正対象書類名】明細書
【補正対象項目名】００３１
【補正方法】変更
【補正の内容】
【００３１】
ギャップの３ｍｓ以下前に受信されたＵＬ−ＳＣＨ許可を有することによって、それで、パケットを構築し、次回のギャップにより、またはギャップがないことにより、異なる挙動を有しないことが、より容易になる。Ｌ１が離調されるので、パケット構築が発生し、その後に送信をスキップすることが続き得る。ＵＬ−ＳＣＨを送信されたおよびＮＡＫされた（すなわち、非適応型再送信と同様）と見なすことができる。ＵＥが測定ギャップのためにＵＬ−ＳＣＨの最初の送信を逃した場合は許可をキャンセルし、ＵＬ−ＳＣＨをＮＡＫされた（すなわち、非適応型再送信）と見なすというルールを使用することができる。
【手続補正５】
【補正対象書類名】明細書
【補正対象項目名】００３９
【補正方法】変更
【補正の内容】
【００３９】
サービス要求（ＳＲ）が割り当てられないときは、ｅＮＢ動作を可能にすることが有利である。ＵＥは、次回の測定ギャップの前にＲＡＣＨを開始していることがあり得る。ＵＥは、自律送信を実行する前に将来のギャップを「期待する」ことが予想されていない。特に、メッセージ２、メッセージ３またはメッセージ４が測定ギャップと衝突する場合について考える。メッセージ２（ランダムアクセス応答（ＲＡＲ））の場合、消失した場合の結果は、ＵＥが、ＲＡＲ応答ウィンドウが終了した後の次の機会にＰＲＡＣＨを再送信し、余分のＰＲＡＣＨおよびＲＡＲ負荷を生成するということであり得る。
【手続補正６】
【補正対象書類名】明細書
【補正対象項目名】００４０
【補正方法】変更
【補正の内容】
【００４０】
メッセージ３（最初のＵＬ−ＳＣＨメッセージ）の場合、競合ベースのＲＡＣＨがあると、ｅＮＢは、どのＣ−ＲＮＴＩがその許可を得ているのかを知らず、したがって、ｅＮＢは測定ギャップとＭＳＧ３との衝突を回避することができないことに留意されたい。ＵＥが、そのギャップ中に最初のＵＬ ＴＸをスケジュールするＲＡＲを受信し、ＵＥが、測定するかまたは送信するかのいずれかを任せられ得、メッセージ３の送信を進めることを強制されるか、あるいは測定を実行することを強制され得ることについて考える。後者の場合、ｅＮＢは、ＵＥがギャップのために送信しなかったかどうかを知らない。ｅＮＢは、非適応型送信をトリガするためにその送信をＮＡＫすることがある。最初の送信がスキップされたときに、それがＮＡＫと見なされ、非適応型再送信が続くことを述べることは、望ましくないと考えられる。（ただし、特定のケースでは、サービス要求（ＳＲ）が割り当てられるべきであることに留意されたい。）ｅＮＢは、適応型送信をトリガすることがある。それは、ＵＥが測定を実行した場合、ｅＮＢの実装をやや複雑にすることがある。例示的な一態様では、ＵＥは、ＲＡＣＨが進行中の場合でも測定を実行することができるが、ＵＥは、ＲＡＣＨに応答することもできる。
【手続補正７】
【補正対象書類名】明細書
【補正対象項目名】００４３
【補正方法】変更
【補正の内容】
【００４３】
サービス要求（ＳＲ）に関して、一態様では、測定ギャップを使用する必要がなく、保留中のアップリンクトラフィックを有するＵＥが、ＵＬトラフィックに対する要求を促進することを可能にする、ＵＥが測定ギャップ中にＳＲを使用することについて考える。ｅＮＢは、ギャップが終わった後にＵＥをスケジュールするか、またはＵＥが測定ギャップ中にＳＲを使用することが、ＵＥがその測定の必要をキャンセルしたことを意味すると解釈するかのいずれかによって、サービス要求（ＳＲ）に反応することができる。それから後は、ＵＬおよびＤＬがスケジュールされ得る。代替的に、ＵＥが、ＵＥのフレキシビリティの不可欠な損失を伴いながら測定ギャップ中にサービス要求（ＳＲ）を使用しないが、その場合、測定の後までサービス要求（ＳＲ）を遅延させることがあることについて考える。
【手続補正８】
【補正対象書類名】明細書
【補正対象項目名】００７８
【補正方法】変更
【補正の内容】
【００７８】
一態様では、論理チャネルは、制御チャネル（Ｃｏｎｔｒｏｌ  Ｃｈａｎｎｅｌｓ）とトラフィックチャネル（Ｔｒａｆｆｉｃ  Ｃｈａｎｎｅｌｓ）とに分類される。論理制御チャネル（Ｌｏｇｉｃａｌ  Ｃｏｎｔｒｏｌ  Ｃｈａｎｎｅｌｓ）は、システム制御情報をブロードキャストするためのＤＬチャネルであるブロードキャスト制御チャネル（Ｂｒｏａｄｃａｓｔ  Ｃｏｎｔｒｏｌ  Ｃｈａｎｎｅｌ：ＢＣＣＨ）と、ページング情報を転送するＤＬチャネルであるページング制御チャネル（Ｐａｇｉｎｇ  Ｃｏｎｔｒｏｌ  Ｃｈａｎｎｅｌ：ＰＣＣＨ）と、１つまたは複数のＭＴＣＨについてのマルチメディアブロードキャストおよびマルチキャストサービス（Ｍｕｌｔｉｍｅｄｉａ  Ｂｒｏａｄｃａｓｔ  ａｎｄ  Ｍｕｌｔｉｃａｓｔ  Ｓｅｒｖｉｃｅ：ＭＢＭＳ）のスケジューリングおよび制御情報を送信するために使用されるポイントツーマルチポイント（Ｐｏｉｎｔ−ｔｏ−ｍｕｌｔｉｐｏｉｎｔ）ＤＬチャネルであるマルチキャスト制御チャネル（Ｍｕｌｔｉｃａｓｔ  Ｃｏｎｔｒｏｌ  Ｃｈａｎｎｅｌ：ＭＣＣＨ）と、を備える。概して、ＲＲＣ接続を確立した後、このチャネルは、ＭＢＭＳ（注：古いＭＣＣＨ＋ＭＳＣＨ）を受信するＵＥによって使用されるだけである。専用制御チャネル（Ｄｅｄｉｃａｔｅｄ  Ｃｏｎｔｒｏｌ  Ｃｈａｎｎｅｌ：ＤＣＣＨ）は、専用制御情報を送信するポイントツーポイント（Ｐｏｉｎｔ−ｔｏ−ｐｏｉｎｔ）双方向チャネルであり、ＲＲＣ接続を有するＵＥによって使用される。態様では、論理トラフィックチャネル（Ｌｏｇｉｃａｌ  Ｔｒａｆｆｉｃ  Ｃｈａｎｎｅｌｓ）は、ユーザ情報を転送するための１つのＵＥに専用のポイントツーポイント（Ｐｏｉｎｔ−ｔｏ−ｐｏｉｎｔ）双方向チャネルである専用トラフィックチャネル（Ｄｅｄｉｃａｔｅｄ  Ｔｒａｆｆｉｃ  Ｃｈａｎｎｅｌ：ＤＴＣＨ）と、トラフィックデータを送信するためのポイントツーマルチポイント（Ｐｏｉｎｔ−ｔｏ−ｍｕｌｔｉｐｏｉｎｔ）ＤＬチャネルのためのマルチキャストトラフィックチャネル（Ｍｕｌｔｉｃａｓｔ  Ｔｒａｆｆｉｃ  Ｃｈａｎｎｅｌ：ＭＴＣＨ）と、を備える。
【手続補正９】
【補正対象書類名】明細書
【補正対象項目名】００８５
【補正方法】変更
【補正の内容】
【００８５】
７５６において示されるＵＬ−ＳＣＨ動的アロケーションに関して、２つのケースについて考える。最初に、ＰＤＣＣＨが測定ギャップの３ｍｓ（ＦＤＤ、またはＴＤＤの場合はそれ以上）前に発生し、対応するＵＬ−ＳＣＨが測定ギャップに入るという判断が行われる（ブロック７５８）。いくつかの実装形態では、指定されたＵＥ挙動を用いてｅＮＢの実装を簡略化することが望ましいことがある。特に、ＵＥは、その許可を任意の他の許可として処理するが、その場合、衝突しているＵＬ−ＳＣＨ送信をキャンセルし、それをＮＡＫされたと見なす（ブロック７６０）。したがって、７６２において示される第５の提案される手法では、ＵＥは、ＵＬ−ＳＣＨ送信をキャンセルし、それをＮＡＫされたと見なす。第２のケースに関して、ＵＬ−ＳＣＨのためのＰＤＣＣＨが測定ギャップ中に発生するという判断が行われた場合（ブロック７６４）、ＵＥは、ギャップ中にＰＤＣＣＨを処理しない。７６６において示される第６の提案される手法では、ＵＥは、測定ギャップ中にＵＬ許可のためのＰＤＣＣＨを受信しない（ブロック７６８）。さらに、ＵＥは、測定ギャップ中にＰＵＳＣＨ上で送信しない（ブロック７７０）。
【手続補正１０】
【補正対象書類名】明細書
【補正対象項目名】００８７
【補正方法】変更
【補正の内容】
【００８７】
７９１において示されるＴＴＩバンドリングに関して、測定ギャップについての当該の３つのケースについて考える。第１のケースでは、バンドルの終了が測定ギャップと衝突するという判断が行われた場合（ブロック７９２）、一般に、バンドルの長さとギャップの長さとを仮定すれば、ＡＣＫ／ＮＡＫフィードバックもギャップと衝突する（ブロック７９４）。リンクバジェットが、おそらくすでに制限されているので（ブロック７９６）、全バンドルをキャンセルすることは多くの例において望ましくない。上記のＵＬ−ＳＣＨルールと同様に、ＵＬ−ＳＣＨ送信は、ギャップ中に発生することができない（ブロック７９８）。ただし、すべてのケースにおいてバンドルをＮＡＫされたと見なすことは、すでに送信されたＴＴＩの数を仮定すれば、おそらく頻繁な無用の再送信につながる。一態様では、ＡＣＫが受信されたかのように挙動する（すなわち、バンドルを中断し、ＰＤＣＣＨとともに再開する）ことが、より良いように思える（ブロック８００）。８０２において示される第８の提案される手法では、ＵＥは、ギャップと重複しないバンドルの部分（開始）を送信し、重複する部分（終了）をキャンセルする（ブロック８０４）。ＵＥは、このバンドルに関してＡＣＫが受信されたと見なす（すなわち、バンドルを中断する）（ブロック８０６）。当該の第２のケースでは、ＴＴＩバンドルの開始がギャップと衝突するという判断が行われた場合、重複しない別の部分が、この例では、ｅＮＢからＡＣＫ／ＮＡＫを探すことを可能にする（ブロック８０７）。したがって、８０８において示される第９の提案される手法では、ＵＥは、ギャップと重複しないバンドルの部分を送信する（ブロック８０９）。重複する部分はキャンセルされる（ブロック８１０）。ＵＥは、バンドルの最後の「意図された」ＴＴＩに関して受信されたＡＣＫ／ＮＡＫフィードバックに従って挙動する（すなわち、ＵＥは、ＡＣＫまたはＮＡＫＮＡＫを受信することができる）（ブロック８１２）。当該の第３のケースでは、全ＴＴＩバンドルがＳＰＳとともに起こり得るなど、ギャップと衝突するという判断が行われる（ブロック８１４）。ＴＴＩバンドルの送信は、起こらない（ブロック８１６）。特に、最後のＴＴＩは、キャンセルされ、ＮＡＫされたと見なされる（ブロック８１８）。ただし、全ＴＴＩバンドルをキャンセルすることは、まれである。したがって、第１０の提案される手法８１９では、ＵＥは、バンドルのすべての送信をキャンセルする（ブロック８２０）。ＵＥは、（バンドルの終了がキャンセルされるので、）ＴＴＩバンドル送信をＡＣＫされたと見なす（ブロック８２２）。例示的な一実装形態では、常にバンドルの最後のＴＴＩに関係してＤＬ ＡＣＫ／ＮＡＫフィードバックが送信される（ブロック８２４）。言い換えれば、バンドルが４つのサブフレームを有する場合、第４のサブフレームが送信されるか否かにかかわらず、ＡＣＫ／ＮＡＫのタイミングは、第４のサブフレームに関係する。
【手続補正１１】
【補正対象書類名】明細書
【補正対象項目名】００８８
【補正方法】変更
【補正の内容】
【００８８】
８２６において示される測定ギャップ中のＲＡＣＨに関して、常に測定ギャップよりもＲＡＣＨを優先させるわけではないことが有利であると考えられる（ブロック８２８）。特に、ＵＬデータ到着が測定ギャップと整合するときはいつもサービス要求（ＳＲ）が構成されない場合、劣化した測定パフォーマンスが生じることがある（ブロック８３０）。一例として、構成された場合、バンドルボイスオーバーＩＰ（ｂｕｎｄｌｅｄ Ｖｏｉｃｅ ｏｖｅｒ ＩＰ：ＶｏＩＰ）トラフィックが、４０ｍｓごとにＲＡＣＨをトリガすることがあり、測定ギャップと整合する６／４０の確率を有する。他方では、常に測定ギャップに優先順位を与えることは、遅延した測定報告という結果になることがあり、それは、ハンドオーバを遅延させ、失敗したハンドオーバの可能性を高めることがある。上記を仮定すれば、また、（もしあれば）どのルールが選択されたかにかかわらず、インターオペラビリティの影響がないことを考慮すれば、８３２において示される第１１の提案される手法では、ＲＡＣＨプロシージャが測定ギャップ中にトリガされるとき（ブロック８３４）、何が優先するかを指定する必要はなく、ＵＥは、ＲＡＣＨを開始するか、または測定を実行することができる（ブロック８３６）。測定ギャップ中の進行中のＲＡＣＨへのコミットメントに関して、ＵＥは、次回の測定ギャップの前にＲＡＣＨを開始していることがあり得る（ブロック８３８）。ＵＥは、自律送信を実行する前に将来のギャップを「期待する」ことが予想されていない。特に、以下で掲示されるメッセージは、測定ギャップと衝突することがある。メッセージ２（ランダムアクセス応答（ＲＡＲ））に関して、消失した場合の結果は、ＵＥが、ＲＡＲ応答ウィンドウが終了した後の次の機会にＰＲＡＣＨを再送信し、余分のＰＲＡＣＨおよびＲＡＲ負荷を生成するということである（ブロック８４０）。メッセージ３（最初のＵＬ−ＳＣＨメッセージ）に関して、競合ベースのＲＡＣＨがあると、ｅＮＢは、どのＣ−ＲＮＴＩがその許可を得ているのかを知らず、したがって、ｅＮＢは測定ギャップとＭＳＧ３との衝突を回避することができないことに留意されたい（ブロック８４２）。メッセージ４（競合解消メッセージ）に関して、ＵＥが測定ギャップを有する（接続されている）場合、ＭＳＧ４が送信される時間までには、ｅＮＢは、ギャップ中にＭＳＧ４を送信することを避けることがある（ブロック８４４）。競合リソースタイマーが適宜に選択され得ることに留意されたい。８４６において示される第１２の提案される手法は、ＵＥがＲＡＣＨプロシージャを開始したときのためのものである。ＵＥは、プロシージャが完了するまで測定ギャップを使用せず、それは帯域幅を浪費することを避ける（ブロック８４８）。ｅＮＢがメッセージ４を測定の周りにスケジュールすることがあることは確かであるが、メッセージ２およびメッセージ３の場合はＵＥに測定ギャップを使用させず、メッセージ４の場合はＵＥが測定を使用することを再び可能にすることは、実装を複雑にすることになる。そのために、ｅＮＢおよびＵＥの実装が単純に保たれるという点で、競合解消が促進される。
【手続補正１２】
【補正対象書類名】明細書
【補正対象項目名】００８９
【補正方法】変更
【補正の内容】
【００８９】
８５０において示されるサービス要求（ＳＲ）に関して、一態様では、ルールをすべての使用事例には課さず、さらに、サービス要求（ＳＲ）が優先順位を有するのか、または測定ギャップが優先順位を有するのかを指定しないことが有利である（ブロック８５２）。したがって、８５４において示される第１３の提案される手法では、サービス要求（ＳＲ）が測定ギャップ中にトリガされるとき、何が優先するのかを指定する必要はない。ＵＥは、サービス要求（ＳＲ）を送信するか、または測定を実行することができる（ブロック８５６）。
【手続補正１３】
【補正対象書類名】明細書
【補正対象項目名】００９０
【補正方法】変更
【補正の内容】
【００９０】
８５８において示されるランダムアクセス（Ｒａｎｄｏｍ  Ａｃｃｅｓｓ  Ｃｈａｎｎｅｌ：ＲＡＣＨ）プロシージャに関して、初期化は、ＰＤＣＣＨ順序によるか、またはＭＡＣサブレイヤ自体によるものであり得る（ブロック８６０）。ＰＤＣＣＨ順序またはＲＲＣは、随意にランダムアクセスプリアンブル（Ｒａｎｄｏｍ  Ａｃｃｅｓｓ  Ｐｒｅａｍｂｌｅ）およびＰＲＡＣＨリソースを示す（ブロック８６２）。プロシージャが開始される前に、以下の情報が利用可能であると仮定される（ブロック８６４）：  
ランダムアクセスプリアンブル（Ｒａｎｄｏｍ  Ａｃｃｅｓｓ  Ｐｒｅａｍｂｌｅ）とそれらの対応するＲＡ−ＲＮＴＩとの送信のためのＰＲＡＣＨリソースの利用可能なセット。  
ランダムアクセスプリアンブル（Ｒａｎｄｏｍ  Ａｃｃｅｓｓ  Ｐｒｅａｍｂｌｅ）のグループと、各グループにおける利用可能なランダムアクセスプリアンブル（Ｒａｎｄｏｍ  Ａｃｃｅｓｓ  Ｐｒｅａｍｂｌｅ）のセット。  
ランダムアクセスプリアンブル（Ｒａｎｄｏｍ  Ａｃｃｅｓｓ  Ｐｒｅａｍｂｌｅ）の２つのグループのうちの１つを選択するために必要とされるしきい値。  
ＴＴＩウィンドウを導出するために必要とされるパラメータ。  
電力ランピングファクタＰＯＷＥＲ＿ＲＡＭＰ＿ＳＴＥＰ。  
パラメータＰＲＥＡＭＢＬＥ＿ＴＲＡＮＳ＿ＭＡＸ｛整数＞０｝。  
初期プリアンブル電力ＰＲＥＡＭＢＬＥ＿ＩＮＩＴＩＡＬ＿ＲＥＣＥＩＶＥＤ＿ＴＡＲＧＥＴ＿ＰＯＷＥＲ。  
パラメータＭｅｓｓａｇｅ３  ＨＡＲＱ送信の最大数（Ｍａｘｉｍｕｍ  ｎｕｍｂｅｒ  ｏｆ  Ｍｅｓｓａｇｅ３  ＨＡＲＱ  ｔｒａｎｓｍｉｓｓｉｏｎｓ）。  
上記のパラメータは、各ランダムアクセスプロシージャが開始される前に、上位レイヤから更新され得ることが留意されるべきである。
【手続補正１４】
【補正対象書類名】明細書
【補正対象項目名】０１０４
【補正方法】変更
【補正の内容】
【０１０４】
図９を参照すると、測定ギャップを処理することを可能にするシステム１２００が示されている。たとえば、システム１２００は、少なくとも部分的にユーザ機器（ＵＥ）内に常駐することができる。システム１２００は、プロセッサ、ソフトウェア、またはそれらの組合せ（たとえば、ファームウェア）によって実装される機能を表す機能ブロックであり得る、機能ブロックを含むものとして表されていることが諒解されるべきである。システム１２００は、ソースキャリア周波数からターゲットキャリア周波数に同調するために測定ギャップのためのダウンリンク上の無線リソース制御（ＲＲＣ）割当てを受信するための手段１２０４を有する装置１２０２を含む。その上、装置１２０２は、測定ギャップに適合するためにスケジューリング競合を判断するための手段１２０６を含むことができる。さらに、装置１２０２は、スケジューリング競合についてあらかじめ定義されたプロトコルに従って媒体アクセス制御（ＭＡＣ）プロセスを実行するための手段１２０８を含むことができる。
【手続補正１５】
【補正対象書類名】明細書
【補正対象項目名】０１１５
【補正方法】変更
【補正の内容】
【０１１５】
全体的または部分的に、参照により本明細書に組み込まれると言われる任意の特許、公報、または他の開示資料は、その組み込まれる資料が本開示で説明された既存の定義、記述、または他の開示資料と競合しない限り、本明細書に組み込まれることが諒解されるべきである。したがって、必要な限り、本明細書で明示的に説明された開示は、参照により本明細書に組み込まれる任意の競合する資料に取って代わる。参照により本明細書に組み込まれると言われるが、本明細書で説明された既存の定義、記述、または他の開示資料と競合する、いかなる資料またはその部分も、その組み込まれる資料と既存の開示資料との間に競合が生じない限り、組み込まれる。
以下に、本願出願の当初の特許請求の範囲に記載された発明を付記する。
（１）  測定ギャップを処理するための方法であって、
ソースキャリア周波数からターゲットキャリア周波数に同調するために測定ギャップのためのダウンリンク上の無線リソース制御（ＲＲＣ）割当てを受信することと、
前記測定ギャップに適合するためにスケジューリング競合を判断することと、
前記スケジューリング競合についてあらかじめ定義されたプロトコルに従って媒体アクセス制御（ＭＡＣ）プロセスを実行することと
を備える方法。
（２）  前記測定ギャップ中に発生するアップリンク肯定応答／否定応答（Ａｃｋ／Ｎａｋ）フィードバックを促す前記測定ギャップの前に発生するダウンリンク共有チャネル（ＤＬ−ＳＣＨ）から起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
によって、前記スケジューリング競合についてあらかじめ定義された前記プロトコルに従って前記ＭＡＣプロセスを実行することと、
をさらに備える、（１）に記載の方法。
（３）  前記測定ギャップ中に発生するダウンリンク共有チャネル（ＤＬ−ＳＣＨ）から起こるスケジューリング競合を判断することと、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行することと、
をさらに備える、（１）に記載の方法。
（４）  前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
によって、前記スケジューリング競合についてあらかじめ定義された前記プロトコルに従って前記ＭＡＣプロセスを実行することと、
をさらに備える、（１）に記載の方法。
（５）  半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断することと、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
によって、前記スケジューリング競合についてあらかじめ定義された前記プロトコルに従って前記ＭＡＣプロセスを実行することと、
をさらに備える、（１）に記載の方法。
（６）  前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断することと、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行することと、
をさらに備える、（１）に記載の方法。
（７）  前記測定ギャップ中に発生する物理ダウンリンク制御チャネル（ＰＤＣＣＨ）から起こるスケジューリング競合を判断することと、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行することと、
をさらに備える、（１）に記載の方法。
（８）  前記測定ギャップ中に発生する半永続的に割り振られたアップリンク共有制御チャネル（ＵＬ−ＳＣＨ）から起こるスケジューリング競合を判断することと、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をさらに備える、（１）に記載の方法。
（９）  前記測定ギャップと衝突する送信時間間隔（ＴＴＩ）バンドルの終了から起こるスケジューリング競合を判断することと、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、このバンドルを肯定応答された（ａｃｋ）と見なすことと、
によって、前記スケジューリング競合についてあらかじめ定義された前記プロトコルに従って前記ＭＡＣプロセスを実行することと、
をさらに備える、（１）に記載の方法。
（１０）  前記測定ギャップと衝突する送信時間間隔（ＴＴＩ）バンドルの開始から起こるスケジューリング競合を判断することと、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行することと、
をさらに備える、（１）に記載の方法。
（１１）  前記測定ギャップと衝突する送信時間間隔（ＴＴＩ）バンドルから起こるスケジューリング競合を判断することと、
前記ＴＴＩバンドルに関するすべての送信をキャンセルすることと、
前記ＴＴＩバンドルに関して否定応答された（Ｎａｋ）と見なすことと、
によって、前記スケジューリング競合についてあらかじめ定義された前記プロトコルに従って前記ＭＡＣプロセスを実行することと、
をさらに備える、（１）に記載の方法。
（１２）  前記測定ギャップとのランダムアクセスチャネル（ＲＡＣＨ）プロシージャの所望の使用から起こるスケジューリング競合を判断することと、
前記測定ギャップを利用することおよび前記ＲＡＣＨプロシージャを利用することのうちの１つを選択することによって、前記スケジューリング競合についてあらかじめ定義された前記プロトコルに従って前記ＭＡＣプロセスを実行することと、
をさらに備える、（１）に記載の方法。
（１３）  前記測定ギャップとのランダムアクセスチャネル（ＲＡＣＨ）プロシージャの進行中の使用から起こるスケジューリング競合を判断することと、
前記ＲＡＣＨプロシージャが完了するまで前記測定ギャップを使用しないこと（ＲＡＣＨへのコミットメント）によって、前記スケジューリング競合についてあらかじめ定義された前記プロトコルに従って前記ＭＡＣプロセスを実行することと、
をさらに備える、（１）に記載の方法。
（１４）  前記測定ギャップ中のサービス要求（ＳＲ）の所望の使用から起こるスケジューリング競合を判断することと、
前記測定ギャップを利用することおよびサービス要求を送信することのうちの１つを選択することによって、前記スケジューリング競合についてあらかじめ定義された前記プロトコルに従って前記ＭＡＣプロセスを実行することと、
をさらに備え、スケジューリング要求が使用される場合、ＭＡＣは、ＳＲが保留中の間は、測定ギャップを使用しないことができない、（１）に記載の方法。
（１５）  測定ギャップを処理するための少なくとも１つのプロセッサであって、
ソースキャリア周波数からターゲットキャリア周波数に同調するために測定ギャップのためのダウンリンク上の無線リソース制御（ＲＲＣ）割当てを受信するための第１のモジュールと、
前記測定ギャップに適合するためにスケジューリング競合を判断するための第２のモジュールと、
前記スケジューリング競合についてあらかじめ定義されたプロトコルに従って媒体アクセス制御（ＭＡＣ）プロセスを実行するための第３のモジュールと、
を備えるプロセッサ。
（１６）  測定ギャップを処理するためのコンピュータプログラム製品であって、
ソースキャリア周波数からターゲットキャリア周波数に同調するために測定ギャップのためのダウンリンク上の無線リソース制御（ＲＲＣ）割当てを受信することをコンピュータに行わせるためのコードの第１のセットと、
前記測定ギャップに適合するためにスケジューリング競合を判断することを前記コンピュータに行わせるためのコードの第２のセットと、
前記スケジューリング競合についてあらかじめ定義されたプロトコルに従って媒体アクセス制御（ＭＡＣ）プロセスを実行することを前記コンピュータに行わせるためのコードの第３のセットと、
を備えるコンピュータ可読記憶媒体、
を備えるコンピュータプログラム製品。
（１７）  測定ギャップを処理するための装置であって、
ソースキャリア周波数からターゲットキャリア周波数に同調するために測定ギャップのためのダウンリンク上の無線リソース制御（ＲＲＣ）割当てを受信するための手段と、
前記測定ギャップに適合するためにスケジューリング競合を判断するための手段と、
前記スケジューリング競合についてあらかじめ定義されたプロトコルに従って媒体アクセス制御（ＭＡＣ）プロセスを実行するための手段と、
を備える装置。
（１８）  測定ギャップを処理するための装置であって、
ソースキャリア周波数からターゲットキャリア周波数に同調するために測定ギャップのためのダウンリンク上の無線リソース制御（ＲＲＣ）割当てを受信するための受信機と、
送信機と、
前記測定ギャップに適合するためにスケジューリング競合を判断するためのコンピューティングプラットフォームと、
を備え、
前記コンピューティングプラットフォームは、さらに、前記スケジューリング競合についてあらかじめ定義されたプロトコルに従って前記送信機および前記受信機を介して媒体アクセス制御（ＭＡＣ）プロセスを実行するためのものである、
装置。
（１９）  前記コンピューティングプラットフォームは、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）から起こるスケジューリング競合を判断するためのものであり、
前記コンピューティングプラットフォームは、前記送信機および前記受信機を介して、さらに、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
（１８）に記載の装置。
（２０）  前記コンピューティングプラットフォームは、さらに、前記測定ギャップ中に発生するダウンリンク共有チャネル（ＤＬ−ＳＣＨ）から起こるスケジューリング競合を判断するためのものであり、
前記コンピューティングプラットフォームは、前記送信機および前記受信機を介して、さらに、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行するためのものである、
（１８）に記載の装置。
（２１）  前記コンピューティングプラットフォームは、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断するためのものであり、
前記コンピューティングプラットフォームは、前記送信機および前記受信機を介して、さらに、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
（１８）に記載の装置。
（２２）  前記コンピューティングプラットフォームは、さらに、半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断するためのものであり、
前記コンピューティングプラットフォームは、前記送信機および前記受信機を介して、さらに、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
（１８）に記載の装置。
（２３）  前記コンピューティングプラットフォームは、さらに、前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断するためのものであり、
前記コンピューティングプラットフォームは、前記送信機および前記受信機を介して、さらに、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行するためのものである、
（１８）に記載の装置。
（２４）  前記コンピューティングプラットフォームは、さらに、前記測定ギャップ中に発生する物理ダウンリンク制御チャネル（ＰＤＣＣＨ）から起こるスケジューリング競合を判断するためのものであり、
前記コンピューティングプラットフォームは、前記送信機および前記受信機を介して、さらに、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行するためのものである、
（１８）に記載の装置。
（２５）  前記コンピューティングプラットフォームは、さらに、前記測定ギャップ中に発生する半永続的に割り振られたアップリンク共有制御チャネル（ＵＬ−ＳＣＨ）から起こるスケジューリング競合を判断するためのものであり、
前記コンピューティングプラットフォームは、前記送信機および前記受信機を介して、さらに、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行するためのものである、
（１８）に記載の装置。
（２６）  前記コンピューティングプラットフォームは、さらに、前記測定ギャップと衝突する送信時間間隔（ＴＴＩ）バンドルの終了から起こるスケジューリング競合を判断するためのものであり、
前記コンピューティングプラットフォームは、前記送信機および前記受信機を介して、さらに、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、中断することによってこのバンドルを肯定応答された（ａｃｋ）と見なすことと、
によって、前記スケジューリング競合についてあらかじめ定義された前記プロトコルに従って前記ＭＡＣプロセスを実行するためのものである、
（１８）に記載の装置。
（２７）  前記コンピューティングプラットフォームは、さらに、前記測定ギャップと衝突する送信時間間隔（ＴＴＩ）バンドルの開始から起こるスケジューリング競合を判断するためのものであり、
前記コンピューティングプラットフォームは、前記送信機および前記受信機を介して、さらに、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行するためのものである、
（１８）に記載の装置。
（２８）  前記コンピューティングプラットフォームは、さらに、前記測定ギャップと衝突する送信時間間隔（ＴＴＩ）バンドルから起こるスケジューリング競合を判断するためのものであり、
前記コンピューティングプラットフォームは、前記送信機および前記受信機を介して、さらに、
前記ＴＴＩバンドルに関するすべての送信をキャンセルすることと、
前記ＴＴＩバンドルに関して否定応答された（Ｎａｋ）と見なすことと
によって、前記スケジューリング競合についてあらかじめ定義された前記プロトコルに従って前記ＭＡＣプロセスを実行するためのものである、
（１８）に記載の装置。
（２９）  前記コンピューティングプラットフォームは、さらに、前記測定ギャップとのランダムアクセスチャネル（ＲＡＣＨ）プロシージャの所望の使用から起こるスケジューリング競合を判断するためのものであり、
前記コンピューティングプラットフォームは、前記送信機および前記受信機を介して、さらに、前記測定ギャップを利用することおよび前記ＲＡＣＨプロシージャを利用することのうちの１つを選択することによって、前記スケジューリング競合についてあらかじめ定義された前記プロトコルに従って前記ＭＡＣプロセスを実行するためのものである、
（１８）に記載の装置。
（３０）  前記コンピューティングプラットフォームは、さらに、前記測定ギャップとのランダムアクセスチャネル（ＲＡＣＨ）プロシージャの進行中の使用から起こるスケジューリング競合を判断するためのものであり、
前記コンピューティングプラットフォームは、前記送信機および前記受信機を介して、さらに、前記ＲＡＣＨプロシージャが完了するまで前記測定ギャップを使用しないことによって、前記スケジューリング競合についてあらかじめ定義された前記プロトコルに従って前記ＭＡＣプロセスを実行するためのものである、
（１８）に記載の装置。
（３１）  前記コンピューティングプラットフォームは、さらに、前記測定ギャップ中のサービス要求（ＳＲ）の所望の使用から起こるスケジューリング競合を判断するためのものであり、
前記コンピューティングプラットフォームは、前記送信機および前記受信機を介して、さらに、前記測定ギャップを利用することおよびサービス要求を送信することのうちの１つを選択することによって、前記スケジューリング競合についてあらかじめ定義された前記プロトコルに従って前記ＭＡＣプロセスを実行するためのものである、
（１８）に記載の装置。
（３２）  測定ギャップを割り当てるための方法であって、
ソースキャリア周波数からターゲットキャリア周波数に同調するために測定ギャップのためのダウンリンク上の無線リソース制御（ＲＲＣ）割当てを送信することと、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にすることと、
を備える方法。
（３３）  前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）から起こるスケジューリング競合を判断することと、
前記測定ギャップの前に受信されたダウンリンク共有チャネル（ＤＬ−ＳＣＨ）を処理することと、
前記測定ギャップ中にアップリンク肯定応答／否定応答（ＡＣＫ／ＮＡＫ）を送信しないことと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（３４）  前記測定ギャップ中に発生するダウンリンク共有チャネル（ＤＬ−ＳＣＨ）から起こるスケジューリング競合を判断することと、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（３５）  前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（３６）  半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断することと、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（３７）  前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断することと、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（３８）  前記測定ギャップ中に発生する物理ダウンリンク制御チャネル（ＰＤＣＣＨ）から起こるスケジューリング競合を判断することと、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（３９）  前記測定ギャップ中に発生する半永続的に割り振られたアップリンク共有制御チャネル（ＵＬ−ＳＣＨ）から起こるスケジューリング競合を判断することと、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（４０）  前記測定ギャップと衝突する送信時間間隔（ＴＴＩ）バンドルの終了から起こるスケジューリング競合を判断することと、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、中断することによってこのバンドルを肯定応答された（ａｃｋ）と見なすことと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（４１）  前記測定ギャップと衝突する送信時間間隔（ＴＴＩ）バンドルの開始から起こるスケジューリング競合を判断することと、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（４２）  前記測定ギャップと衝突する送信時間間隔（ＴＴＩ）バンドルから起こるスケジューリング競合を判断することと、
前記ＴＴＩバンドルに関するすべての送信をキャンセルすることと、
前記ＴＴＩバンドルに関して否定応答された（Ｎａｋ）と見なすことと
によって、前記スケジューリング競合についてあらかじめ定義された前記プロトコルに従って前記ＭＡＣプロセスを実行することと、
をユーザ機器が行うことを可能にすること、
をさらに備える、（３２）に記載の方法。
（４３）  前記測定ギャップとのランダムアクセスチャネル（ＲＡＣＨ）プロシージャの所望の使用から起こるスケジューリング競合を判断することと、前記測定ギャップを利用することおよび前記ＲＡＣＨプロシージャを利用することのうちの１つを選択することによって前記スケジューリング競合についてあらかじめ定義された前記プロトコルに従って前記ＭＡＣプロセスを実行することと、をユーザ機器が行うことを可能にすること、
をさらに備える、（３２）に記載の方法。
（４４）  前記測定ギャップとのランダムアクセスチャネル（ＲＡＣＨ）プロシージャの進行中の使用から起こるスケジューリング競合を判断することと、前記ＲＡＣＨプロシージャが完了するまで前記測定ギャップを使用しないことによって前記スケジューリング競合についてあらかじめ定義された前記プロトコルに従って前記ＭＡＣプロセスを実行することと、をユーザ機器が行うことを可能にすること、
をさらに備える、（３２）に記載の方法。
（４５）  前記測定ギャップ中のサービス要求（ＳＲ）の所望の使用から起こるスケジューリング競合を判断することと、前記測定ギャップを利用することおよびサービス要求を送信することのうちの１つを選択することによって前記スケジューリング競合についてあらかじめ定義された前記プロトコルに従って前記ＭＡＣプロセスを実行することと、をユーザ機器が行うことを可能にすること、
をさらに備える、（３２）に記載の方法。
（４６）  測定ギャップを割り当てるための少なくとも１つのプロセッサであって、
ソースキャリア周波数からターゲットキャリア周波数に同調するために測定ギャップのためのダウンリンク上の無線リソース制御（ＲＲＣ）割当てを送信するための第１のモジュールと、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にするための第２のモジュールと、
を備えるプロセッサ。
（４７）  測定ギャップを割り当てるためのコンピュータプログラム製品であって、
ソースキャリア周波数からターゲットキャリア周波数に同調するために測定ギャップのためのダウンリンク上の無線リソース制御（ＲＲＣ）割当てを送信することをコンピュータに行わせるためのコードの第１のセットと、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にすることを前記コンピュータに行わせるためのコードの第２のセットと、
を備えるコンピュータ可読記憶媒体、
を備えるコンピュータプログラム製品。
（４８）  測定ギャップを割り当てるための装置であって、
ソースキャリア周波数からターゲットキャリア周波数に同調するために測定ギャップのためのダウンリンク上の無線リソース制御（ＲＲＣ）割当てを送信するための手段と、
前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にするための手段と、
を備える装置。
（４９）  測定ギャップを割り当てるための装置であって、
ソースキャリア周波数からターゲットキャリア周波数に同調するために測定ギャップのためのダウンリンク上の無線リソース制御（ＲＲＣ）割当てを送信するための送信機と、
受信機と、
前記送信機および前記受信機を介して、前記測定ギャップに適合するためにスケジューリング競合を判断することと、前記スケジューリング競合についてあらかじめ定義されたプロトコルに従って媒体アクセス制御（ＭＡＣ）プロセスを実行することと、をユーザ機器が行うことを可能にするコンピューティングプラットフォームと、
を備える装置。
（５０）  前記コンピューティングプラットフォームは、前記送信機および前記受信機を介して、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）から起こるスケジューリング競合を判断することと、
前記測定ギャップの前に受信されたダウンリンク共有チャネル（ＤＬ−ＳＣＨ）を処理することと、
前記測定ギャップ中にアップリンク肯定応答／否定応答（ＡＣＫ／ＮＡＫ）を送信しないことと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５１）  前記コンピューティングプラットフォームは、前記送信機および前記受信機を介して、さらに、前記測定ギャップ中に発生するダウンリンク共有チャネル（ＤＬ−ＳＣＨ）から起こるスケジューリング競合を判断することと、
測定ギャップ中に物理データおよび制御チャネルの処理を省略することと、
対応するアップリンクＡＣＫ／ＮＡＫフィードバックを送信することを省略することと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５２）  前記コンピューティングプラットフォームは、前記送信機および前記受信機を介して、さらに、前記測定ギャップ中に発生するアップリンク肯定応答／否定応答（ＡＣＫ／ＮＡＫ）フィードバックを促す前記測定ギャップの前に発生するダウンリンク共有チャネル（ＤＬ−ＳＣＨ）の半永続的割振りから起こるスケジューリング競合を判断することと、
前記測定ギャップの前に受信されたダウンリンク共有チャネルを処理し、ＡＣＫ／ＮＡＫフィードバックデータをバッファに入れることと、
ＡＣＫ／ＮＡＫフィードバックが測定ギャップ中に送信されるのを妨げることと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５３）  前記コンピューティングプラットフォームは、前記送信機および前記受信機を介して、さらに、半永続的にスケジュールされた（ＳＰＳ）最初の送信がコンストラクティブリィに受信される、前記測定ギャップ中に発生する半永続的に割り振られたダウンリンク共有チャネル（ＤＬ−ＳＣＨ）から起こるスケジューリング競合を判断することと、
測定ギャップ中に物理データおよび制御チャネルの処理を省略することと、
ＳＰＳユーザ機器（ＵＥ）生成のダウンリンク割当てをＭＡＣによって受信することと、
ＵＥ生成のダウンリンク割当てに関してＤＬ−ＳＣＨの受信を省略することと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５４）  前記コンピューティングプラットフォームは、前記送信機および前記受信機を介して、さらに、前記測定ギャップ中に発生するアップリンク肯定応答／否定応答（ＡＣＫ／ＮＡＫ）フィードバックを促す前記測定ギャップの前に発生する物理ダウンリンク制御チャネル（ＰＤＣＣＨ）から起こるスケジューリング競合を判断することと、
アップリンク共有チャネル（ＵＬ−ＳＣＨ）の最初の送信または再送信をキャンセルすることと、
前記ＵＬ−ＳＣＨの最初の送信または再送信を否定応答された（Ｎａｋされた）と見なすことと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５５）  前記コンピューティングプラットフォームは、前記送信機および前記受信機を介して、さらに、前記測定ギャップ中に発生する物理ダウンリンク制御チャネル（ＰＤＣＣＨ）から起こるスケジューリング競合を判断することと、
測定ギャップ中に物理データ制御チャネルの処理を省略することと、
測定ギャップ中に物理アップリンク共有チャネル（ＰＵＳＣＨ）上で送信することを省略することと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５６）  前記コンピューティングプラットフォームは、前記送信機および前記受信機を介して、さらに、前記測定ギャップ中に発生する半永続的に割り振られたアップリンク共有制御チャネル（ＵＬ−ＳＣＨ）から起こるスケジューリング競合を判断することと、
測定ギャップ中に物理データおよび制御チャネルの処理を省略することと、
前記ＵＬ−ＳＣＨの最初の送信または再送信をキャンセルし、否定応答された（Ｎａｋされた）と見なすことと、
ＡＣＫ／ＮＡＫフィードバックに従って前記測定ギャップの後の再送信の準備をすることと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５７）  前記コンピューティングプラットフォームは、前記送信機および前記受信機を介して、さらに、前記測定ギャップと衝突する送信時間間隔（ＴＴＩ）バンドルの終了から起こるスケジューリング競合を判断することと、
前記測定ギャップと重複しない前記ＴＴＩバンドルの開始部分を送信し、前記衝突している終了をキャンセルすることと、
受信された場合は、バンドルの最後の意図されたＴＴＩに関するＡＣＫ／ＮＡＫフィードバックを使用することと、そうではなく、測定ギャップと衝突した場合は、中断することによってこのバンドルを肯定応答された（ａｃｋ）と見なすことと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５８）  前記コンピューティングプラットフォームは、前記送信機および前記受信機を介して、さらに、前記測定ギャップと衝突する送信時間間隔（ＴＴＩ）バンドルの開始から起こるスケジューリング競合を判断することと、
前記測定ギャップと重複しない前記ＴＴＩバンドルの終了部分を送信し、前記開始をキャンセルすることと、
前記バンドルの最後の意図されたＴＴＩに関して受信されたＡＣＫ／ＮＡＫフィードバックに従って挙動することと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（５９）  前記コンピューティングプラットフォームは、前記送信機および前記受信機を介して、さらに、前記測定ギャップと衝突する送信時間間隔（ＴＴＩ）バンドルから起こるスケジューリング競合を判断することと、
前記ＴＴＩバンドルに関するすべての送信をキャンセルすることと、
前記ＴＴＩバンドルに関して否定応答された（Ｎａｋ）と見なすことと、
によって、前記スケジューリング競合についてあらかじめ定義された前記プロトコルに従って前記ＭＡＣプロセスを実行することと、をユーザ機器が行うことを可能にするためのものである、
（４９）に記載の装置。
（６０）  前記コンピューティングプラットフォームは、前記送信機および前記受信機を介して、さらに、前記測定ギャップとのランダムアクセスチャネル（ＲＡＣＨ）プロシージャの所望の使用から起こるスケジューリング競合を判断することと、前記測定ギャップを利用することおよび前記ＲＡＣＨプロシージャを利用することのうちの１つを選択することによって前記スケジューリング競合についてあらかじめ定義された前記プロトコルに従って前記ＭＡＣプロセスを実行することと、をユーザ機器が行うことを可能にするためのものである、
（４９）に記載の装置。
（６１）  前記コンピューティングプラットフォームは、前記送信機および前記受信機を介して、さらに、前記測定ギャップとのランダムアクセスチャネル（ＲＡＣＨ）プロシージャの進行中の使用から起こるスケジューリング競合を判断することと、前記ＲＡＣＨプロシージャが完了するまで前記測定ギャップを使用しないことによって前記スケジューリング競合についてあらかじめ定義された前記プロトコルに従って前記ＭＡＣプロセスを実行することと、をユーザ機器が行うことを可能にするためのものである、
（４９）に記載の装置。
（６２）  前記コンピューティングプラットフォームは、前記送信機および前記受信機を介して、さらに、前記測定ギャップ中のサービス要求（ＳＲ）の所望の使用から起こるスケジューリング競合を判断することと、前記測定ギャップを利用することおよびサービス要求を送信することのうちの１つを選択することによって前記スケジューリング競合についてあらかじめ定義された前記プロトコルに従って前記ＭＡＣプロセスを実行することと、をユーザ機器が行うことを可能にするためのものである、
（４９）に記載の装置。
【手続補正１６】
【補正対象書類名】図面
【補正対象項目名】図２Ｃ
【補正方法】変更
【補正の内容】
【図２Ｃ】
2014195276.tif 000021
【手続補正１７】
【補正対象書類名】図面
【補正対象項目名】図６Ｅ
【補正方法】変更
【補正の内容】
【図６Ｅ】
2014195276.tif 000022
【外国語明細書】
2014195276000001.pdf